(57)【要約】  ＩＣカードリーダ（３ａ）によって読み取られたユーザＩＤを受け付け、そのユーザＩＤを記憶し、予約情報の入力を受け付ける入力画面を用いて利用者により予約情報が入力された後に、さらにＩＣカードリーダ（３ｂ）によって読み取られたユーザＩＤを受け付け、受け付けたユーザＩＤと記憶しているユーザＩＤとが一致しているか否かを判定し、ユーザＩＤが一致していると判定した場合に、入力画面（４）を用いて入力された予約情報の受け付けを確定する。
2008035397.tif 000002
【特許請求の範囲】
【請求項１】
表示装置に各種情報を表示するとともに該各種情報に関する入力情報を利用者から受け付ける情報提供装置であって、
前記利用者を識別する利用者識別情報を受け付け、該利用者識別情報を記憶する利用者識別情報受付手段と、
所定の入力情報の入力を受け付ける入力画面を用いて利用者により入力情報が入力された後に、さらに前記利用者識別情報を受け付ける利用者識別情報再受付手段と、
前記利用者識別情報再受付手段により受け付けられた利用者識別情報と前記利用者識別情報受付手段により記憶された利用者識別情報とが一致しているか否かを判定する利用者識別情報比較手段と、
前記利用者識別情報比較手段により、利用者識別情報が一致していると判定された場合に、前記入力画面を用いて入力された入力情報の受け付けを確定する利用者情報確定手段と、
を備えたことを特徴とする情報提供装置。
【請求項２】
前記利用者識別情報受付手段により前記利用者識別情報が受け付けられた場合に、前記入力画面を表示する入力画面表示手段をさらに備えたことを特徴とする請求項１に記載の情報提供装置。
【請求項３】
前記利用者識別情報受付手段は、利用者の属性を示す利用者属性情報を前記利用者からさらに受け付け、
前記入力画面表示手段は、前記利用者識別情報受付手段により受け付けられた利用者属性情報に基づいて、表示する入力画面を変更することを特徴とする請求項２に記載の情報提供装置。
【請求項４】
前記利用者識別情報受付手段は、利用者の属性を示す利用者属性情報を前記利用者からさらに受け付け、
前記入力画面表示手段は、前記利用者識別情報受付手段により受け付けられた利用者属性情報に基づいて、表示する入力画面の表示位置を変更することを特徴とする請求項２に記載の情報提供装置。
【請求項５】
前記入力画面表示手段は、前記入力画面を表示した後に、利用者により入力情報が入力されない状態が所定の時間継続した場合に、前記入力画面を非表示にすることを特徴とする請求項２、３または４に記載の情報提供装置。
【請求項６】
前記入力画面表示手段により表示された入力画面を用いて利用者により入力情報の一部が入力された後に、さらに前記利用者識別情報を受け付ける利用者識別情報仮受付手段と、
前記利用者識別情報仮受付手段により受け付けられた利用者識別情報と前記利用者識別情報受付手段により記憶された利用者識別情報とが一致しているか否かを判定する利用者識別情報仮比較手段と、
前記利用者識別情報仮比較手段により、利用者識別情報が一致していると判定された場合に、前記入力画面に入力されている入力情報を保存するとともに該入力画面を非表示にする入力情報保存手段と、
前記入力情報保存手段により入力情報が保存された後に、前記利用者識別情報受付手段により利用者識別情報が受け付けられた場合に、該利用者識別情報が記憶されているか否かを確認し、記憶されていた場合には、前記入力情報保存手段により非表示にされた入力画面を前記表示装置に再表示する入力画面再表示手段と、
をさらに備えたことを特徴とする請求項２に記載の情報提供装置。
【請求項７】
前記利用者識別情報比較手段により利用者識別情報が一致していないと判定された場合に、前記入力画面に入力されている入力情報をキャンセルするとともに、前記利用者識別情報受付手段により記憶された利用者識別情報で識別される利用者に対して入力情報をキャンセルしたことを通知するキャンセル通知手段をさらに備えたことを特徴とする請求項１に記載の情報提供装置。
【請求項８】
前記利用者識別情報が記憶された記憶媒体から該利用者識別情報を読み取る利用者識別情報読取手段をさらに備え、
前記利用者識別情報受付手段は、前記利用者識別情報読取手段により読み取られた利用者識別情報を受け付けることを特徴とする請求項１に記載の情報提供装置。
【請求項９】
前記利用者識別情報読取手段は、複数の所定の設置位置に設置され、
前記表示装置には、複数の所定の表示位置が設定され、
前記入力画面表示手段は、前記利用者識別情報受付手段により前記利用者識別情報が受け付けられた場合に、該利用者識別情報を読み取った利用者識別情報読取手段の設置位置に最も近い表示位置を前記複数の所定の表示位置から選択し、該表示位置に入力画面を表示することを特徴とする請求項８に記載の情報提供装置。
【請求項１０】
前記入力画面表示手段は、前記利用者識別情報受付手段により前記利用者識別情報が受け付けられた場合に、すでに表示されている他の入力画面に重ならない表示位置を前記複数の所定の表示位置から選択し、該表示位置に入力画面を表示することを特徴とする請求項９に記載の情報提供装置。
【請求項１１】
前記記憶媒体は、非接触ＩＣチップであり、
前記利用者識別情報読取手段は、非接触ＩＣリーダであることを特徴とする請求項８、９または１０に記載の情報提供装置。
【請求項１２】
利用者により入力情報が入力されない状態が所定の時間継続した場合に、前記画面表示手段により前記入力画面が非表示にされた際に、該入力画面に入力されている入力情報をキャンセルするとともに、前記利用者識別情報受付手段により記憶された利用者識別情報で識別される利用者に対して入力情報をキャンセルしたことを通知するキャンセル通知手段をさらに備えたことを特徴とする請求項５に記載の情報提供装置。
【請求項１３】
表示装置に各種情報を表示するとともに該各種情報に関する入力情報を利用者から受け付ける入力情報受付方法であって、
前記利用者を識別する利用者識別情報を受け付け、該利用者識別情報を記憶する利用者識別情報受付工程と、
所定の入力情報の入力を受け付ける入力画面を用いて該入力情報が利用者により入力された後に、前記利用者識別情報を受け付ける利用者識別情報再受付工程と、
前記利用者識別情報再受付工程により受け付けられた利用者識別情報と前記利用者識別情報受付工程により記憶された利用者識別情報とが一致しているか否かを判定する利用者識別情報比較工程と、
前記利用者識別情報比較工程により、利用者識別情報が一致していると判定された場合に、前記入力画面を用いて入力された入力情報の受け付けを確定する利用者情報確定工程と、
を含んだことを特徴とする入力情報受付方法。
【請求項１４】
前記利用者識別情報受付工程により前記利用者識別情報が受け付けられた場合に、前記入力画面を表示する入力画面表示工程をさらに含んだことを特徴とする請求項１３に記載の入力情報受付方法。
【請求項１５】
前記利用者識別情報受付工程は、利用者の属性を示す利用者属性情報を前記利用者からさらに受け付け、
前記入力画面表示工程は、前記利用者識別情報受付工程により受け付けられた利用者属性情報に基づいて、表示する入力画面を変更することを特徴とする請求項１４に記載の入力情報受付方法。
【請求項１６】
前記利用者識別情報が記憶された記憶媒体から該利用者識別情報を読み取る利用者識別情報読取工程をさらに含み、
前記利用者識別情報受付工程は、前記利用者識別情報読取工程により読み取られた利用者識別情報を受け付けることを特徴とする請求項１３に記載の入力情報受付方法。
【請求項１７】
表示装置に各種情報を表示するとともに該各種情報に関する入力情報を利用者から受け付ける入力情報受付プログラムであって、
前記利用者を識別する利用者識別情報を受け付け、該利用者識別情報を記憶する利用者識別情報受付手順と、
所定の入力情報の入力を受け付ける入力画面を用いて該入力情報が利用者により入力された後に、前記利用者識別情報を受け付ける利用者識別情報再受付手順と、
前記利用者識別情報再受付手順により受け付けられた利用者識別情報と前記利用者識別情報受付手順により記憶された利用者識別情報とが一致しているか否かを判定する利用者識別情報比較手順と、
前記利用者識別情報比較手順により、利用者識別情報が一致していると判定された場合に、前記入力画面を用いて入力された入力情報の受け付けを確定する利用者情報確定手順と、
をコンピュータに実行させることを特徴とする入力情報受付プログラム。
【請求項１８】
前記利用者識別情報受付手順により前記利用者識別情報が受け付けられた場合に、前記入力画面を表示する入力画面表示手順をさらにコンピュータに実行させることを特徴とする請求項１７に記載の入力情報受付プログラム。
【請求項１９】
前記利用者識別情報受付手順は、利用者の属性を示す利用者属性情報を前記利用者からさらに受け付け、
前記入力画面表示手順は、前記利用者識別情報受付手順により受け付けられた利用者属性情報に基づいて、表示する入力画面を変更することを特徴とする請求項１８に記載の入力情報受付プログラム。
【請求項２０】
前記利用者識別情報が記憶された記憶媒体から該利用者識別情報を読み取る利用者識別情報読取手順をさらにコンピュータに実行させ、
前記利用者識別情報受付手順は、前記利用者識別情報読取手順により読み取られた利用者識別情報を受け付けることを特徴とする請求項１７に記載の入力情報受付プログラム。
【発明の詳細な説明】
【技術分野】
【０００１】
本発明は、表示装置に表示した各種情報に関する入力情報を利用者から受け付ける情報提供装置、入力情報受付方法および入力情報受付プログラムに関し、特に、容易かつ確実に利用者を確認して入力情報を受け付けることができる情報提供装置、入力情報受付方法および入力情報受付プログラムに関するものである。
【背景技術】
【０００２】
近年、電車やバスなどの交通手段や宿泊施設などの情報を利用者に提供するとともに、乗車切符や宿泊の予約を受け付けることができる情報提供装置が各種サービスカウンタやコンビニエンスストアなどに設置されるようになった。【０００３】
このような情報提供装置では、不正利用を防止したり、予約にかかる料金を請求したりするため、利用者の確認を行う必要がある。【０００４】
利用者を確認するための方法は多数提案されているが、その一つとして、利用者を識別するためのユーザＩＤが記録されたＩＤカードを用いる方法がある。この方法では、情報提供装置は、装置に備えられたカードリーダやカードスロットでＩＤカードに記録されたユーザＩＤを読み取ることによって、利用者を確認している。（例えば、特許文献１および２参照。）【０００５】
さらに、近年では、非接触ＩＣチップが埋め込まれたカード（以下、「ＩＣカード」と呼ぶ）や、非接触ＩＣチップが内蔵された携帯電話が普及してきており、非接触ＩＣチップに記録されたユーザＩＤを非接触ＩＣリーダ（以下、「ＩＣリーダ」と呼ぶ）で読み取ることによって、利用者を確認することが可能になった。【０００６】
かかるＩＣカードや携帯電話を用いることにより、例えばＩＣカードを財布などに入れたままでも、財布ごと非接触ＩＣリーダにかざすことによって、容易に利用者の確認を行うことができるとともに、利用者がＩＣカードをカードスロットに挿したまま取り忘れることを防ぐことができる。【０００７】
【特許文献１】特開平９−１２８３１９号公報
【特許文献２】特開２００５−３４６３５４号公報
【発明の開示】
【発明が解決しようとする課題】
【０００８】
しかしながら、情報提供装置で切符や宿泊施設などの予約を行う場合には、利用日や利用人数など、所定の情報を情報提供装置に入力する必要がある。この入力には、入力すべき項目が多い場合は、相応の時間および労力が必要になり、そのため、利用者を確認するタイミングが問題となる。【０００９】
例えば、所定の情報を入力する前に利用者を確認した場合には、利用者がなんらかの理由で入力を中断して情報提供装置から離れた際に、他の利用者がそれまでに入力されていた情報を変更して予約を確定することが可能になり、本来の利用者が意図していない予約が行われてしまうという問題がある。【００１０】
そのため、いかにして容易かつ確実に利用者を確認して入力情報を受け付けるかが、極めて大きな課題となっている。【００１１】
本発明は、上記に鑑みてなされたものであって、容易かつ確実に利用者を確認して入力情報を受け付けることができる情報提供装置、入力情報受付方法および入力情報受付プログラムを提供することを目的とする。
【課題を解決するための手段】
【００１２】
上述した課題を解決し、目的を達成するため、本発明は、表示装置に各種情報を表示するとともに該各種情報に関する入力情報を利用者から受け付ける情報提供装置であって、前記利用者を識別する利用者識別情報を受け付け、該利用者識別情報を記憶する利用者識別情報受付手段と、所定の入力情報の入力を受け付ける入力画面を用いて利用者により入力情報が入力された後に、さらに前記利用者識別情報を受け付ける利用者識別情報再受付手段と、前記利用者識別情報再受付手段により受け付けられた利用者識別情報と前記利用者識別情報受付手段により記憶された利用者識別情報とが一致しているか否かを判定する利用者識別情報比較手段と、前記利用者識別情報比較手段により、利用者識別情報が一致していると判定された場合に、前記入力画面を用いて入力された入力情報の受け付けを確定する利用者情報確定手段と、を備えたことを特徴とする。【００１３】
また、本発明は、上記の発明において、前記利用者識別情報受付手段により前記利用者識別情報が受け付けられた場合に、前記入力画面を表示する入力画面表示手段をさらに備えたことを特徴とする。【００１４】
また、本発明は、上記の発明において、前記利用者識別情報受付手段は、利用者の属性を示す利用者属性情報を前記利用者からさらに受け付け、前記入力画面表示手段は、前記利用者識別情報受付手段により受け付けられた利用者属性情報に基づいて、表示する入力画面を変更することを特徴とする。【００１５】
また、本発明は、前記利用者識別情報受付手段は、利用者の属性を示す利用者属性情報を前記利用者からさらに受け付け、前記入力画面表示手段は、前記利用者識別情報受付手段により受け付けられた利用者属性情報に基づいて、表示する入力画面の表示位置を変更することを特徴とする。【００１６】
また、本発明は、上記の発明において、前記入力画面表示手段は、前記入力画面を表示した後に、利用者により入力情報が入力されない状態が所定の時間継続した場合に、前記入力画面を非表示にすることを特徴とする。【００１７】
また、本発明は、上記の発明において、前記入力画面表示手段により表示された入力画面を用いて利用者により入力情報の一部が入力された後に、さらに前記利用者識別情報を受け付ける利用者識別情報仮受付手段と、前記利用者識別情報仮受付手段により受け付けられた利用者識別情報と前記利用者識別情報受付手段により記憶された利用者識別情報とが一致しているか否かを判定する利用者識別情報仮比較手段と、前記利用者識別情報仮比較手段により、利用者識別情報が一致していると判定された場合に、前記入力画面に入力されている入力情報を保存するとともに該入力画面を非表示にする入力情報保存手段と、前記入力情報保存手段により入力情報が保存された後に、前記利用者識別情報受付手段により利用者識別情報が受け付けられた場合に、該利用者識別情報が記憶されているか否かを確認し、記憶されていた場合には、前記入力情報保存手段により非表示にされた入力画面を前記表示装置に再表示する入力画面再表示手段と、をさらに備えたことを特徴とする。【００１８】
また、本発明は、上記の発明において、前記利用者識別情報比較手段により利用者識別情報が一致していないと判定された場合に、前記入力画面に入力されている入力情報をキャンセルするとともに、前記利用者識別情報受付手段により記憶された利用者識別情報で識別される利用者に対して入力情報をキャンセルしたことを通知するキャンセル通知手段をさらに備えたことを特徴とする。【００１９】
また、本発明は、上記の発明において、前記利用者識別情報が記憶された記憶媒体から該利用者識別情報を読み取る利用者識別情報読取手段をさらに備え、前記利用者識別情報受付手段は、前記利用者識別情報読取手段により読み取られた利用者識別情報を受け付けることを特徴とする。【００２０】
また、本発明は、上記の発明において、前記利用者識別情報読取手段は、複数の所定の設置位置に設置され、前記表示装置には、複数の所定の表示位置が設定され、前記入力画面表示手段は、前記利用者識別情報受付手段により前記利用者識別情報が受け付けられた場合に、該利用者識別情報を読み取った利用者識別情報読取手段の設置位置に最も近い表示位置を前記複数の所定の表示位置から選択し、該表示位置に入力画面を表示することを特徴とする。【００２１】
また、本発明は、上記の発明において、前記入力画面表示手段は、前記利用者識別情報受付手段により前記利用者識別情報が受け付けられた場合に、すでに表示されている他の入力画面に重ならない表示位置を前記複数の所定の表示位置から選択し、該表示位置に入力画面を表示することを特徴とする。【００２２】
また、本発明は、上記の発明において、前記記憶媒体は、非接触ＩＣチップであり、前記利用者識別情報読取手段は、非接触ＩＣリーダであることを特徴とする。【００２３】
また、本発明は、上記の発明において、利用者により入力情報が入力されない状態が所定の時間継続した場合に、前記画面表示手段により前記入力画面が非表示にされた際に、該入力画面に入力されている入力情報をキャンセルするとともに、前記利用者識別情報受付手段により記憶された利用者識別情報で識別される利用者に対して入力情報をキャンセルしたことを通知するキャンセル通知手段をさらに備えたことを特徴とする。【００２４】
また、本発明は、表示装置に各種情報を表示するとともに該各種情報に関する入力情報を利用者から受け付ける入力情報受付方法であって、前記利用者を識別する利用者識別情報を受け付け、該利用者識別情報を記憶する利用者識別情報受付工程と、所定の入力情報の入力を受け付ける入力画面を用いて該入力情報が利用者により入力された後に、前記利用者識別情報を受け付ける利用者識別情報再受付工程と、前記利用者識別情報再受付工程により受け付けられた利用者識別情報と前記利用者識別情報受付工程により記憶された利用者識別情報とが一致しているか否かを判定する利用者識別情報比較工程と、前記利用者識別情報比較工程により、利用者識別情報が一致していると判定された場合に、前記入力画面を用いて入力された入力情報の受け付けを確定する利用者情報確定工程と、を含んだことを特徴とする。【００２５】
また、本発明は、上記の発明において、前記利用者識別情報受付工程により前記利用者識別情報が受け付けられた場合に、前記入力画面を表示する入力画面表示工程をさらに含んだことを特徴とする。【００２６】
また、本発明は、上記の発明において、前記利用者識別情報受付工程は、利用者の属性を示す利用者属性情報を前記利用者からさらに受け付け、前記入力画面表示工程は、前記利用者識別情報受付工程により受け付けられた利用者属性情報に基づいて、表示する入力画面を変更することを特徴とする。【００２７】
また、本発明は、上記の発明において、前記利用者識別情報が記憶された記憶媒体から該利用者識別情報を読み取る利用者識別情報読取工程をさらに含み、前記利用者識別情報受付工程は、前記利用者識別情報読取工程により読み取られた利用者識別情報を受け付けることを特徴とする。【００２８】
また、本発明は、表示装置に各種情報を表示するとともに該各種情報に関する入力情報を利用者から受け付ける入力情報受付プログラムであって、前記利用者を識別する利用者識別情報を受け付け、該利用者識別情報を記憶する利用者識別情報受付手順と、所定の入力情報の入力を受け付ける入力画面を用いて該入力情報が利用者により入力された後に、前記利用者識別情報を受け付ける利用者識別情報再受付手順と、前記利用者識別情報再受付手順により受け付けられた利用者識別情報と前記利用者識別情報受付手順により記憶された利用者識別情報とが一致しているか否かを判定する利用者識別情報比較手順と、前記利用者識別情報比較手順により、利用者識別情報が一致していると判定された場合に、前記入力画面を用いて入力された入力情報の受け付けを確定する利用者情報確定手順と、をコンピュータに実行させることを特徴とする。【００２９】
また、本発明は、上記の発明において、前記利用者識別情報受付手順により前記利用者識別情報が受け付けられた場合に、前記入力画面を表示する入力画面表示手順をさらにコンピュータに実行させることを特徴とする。【００３０】
また、本発明は、上記の発明において、前記利用者識別情報受付手順は、利用者の属性を示す利用者属性情報を前記利用者からさらに受け付け、前記入力画面表示手順は、前記利用者識別情報受付手順により受け付けられた利用者属性情報に基づいて、表示する入力画面を変更することを特徴とする。【００３１】
また、本発明は、上記の発明において、前記利用者識別情報が記憶された記憶媒体から該利用者識別情報を読み取る利用者識別情報読取手順をさらにコンピュータに実行させ、  前記利用者識別情報受付手順は、前記利用者識別情報読取手順により読み取られた利用者識別情報を受け付けることを特徴とする。
【発明の効果】
【００３２】
本発明によれば、利用者を識別する利用者識別情報を受け付け、その利用者識別情報を記憶し、所定の入力情報の入力を受け付ける入力画面を用いて利用者により入力情報が入力された後に、さらに利用者識別情報を受け付け、その利用者識別情報と記憶している利用者識別情報とが一致しているか否かを判定し、利用者識別情報が一致していると判定した場合に、入力画面を用いて入力された入力情報の受け付けを確定するよう構成したので、入力情報を入力した利用者とは異なる利用者によって当該入力情報が確定されることを防ぐことが可能になり、容易かつ確実に利用者を確認して入力情報を受け付けることができるという効果を奏する。【００３３】
また、本発明によれば、最初に利用者識別情報を受け付けた場合に、入力画面を表示するよう構成したので、あらかじめ表示装置に固定して入力画面を表示しておく場合に比べ、表示装置の表示画面を効率よく利用することができるという効果を奏する。【００３４】
また、本発明によれば、利用者の属性を示す利用者属性情報を利用者からさらに受け付け、受け付けた利用者属性情報に基づいて、表示する入力画面を変更するよう構成したので、性別や年齢など利用者の属性に応じて、利用者に入力させる項目を絞り込むことが可能になり、入力情報の入力にかかる時間を短縮することができるという効果を奏する。【００３５】
また、本発明によれば、利用者の属性を示す利用者属性情報を利用者からさらに受け付け、受け付けた利用者属性情報に基づいて、表示する入力画面の表示位置を変更するよう構成したので、利用者の身長などに合わせて入力し易い位置に入力画面を表示することが可能になり、入力情報の入力にかかる利用者の負担を軽減することができるという効果を奏する。【００３６】
また、本発明によれば、入力画面を表示した後に、利用者により入力情報が入力されない状態が所定の時間継続した場合に、入力画面を非表示にするよう構成したので、なんらかの理由で利用者が途中で入力をやめた場合でも、自動的に入力画面を非表示にすることが可能になり、入力画面が表示されたまま放置されることを防ぐことができるという効果を奏する。【００３７】
また、本発明によれば、表示した入力画面を用いて利用者により入力情報の一部が入力された後に、さらに利用者識別情報を受け付け、受け付けた利用者識別情報と記憶している利用者識別情報とが一致しているか否かを判定し、利用者識別情報が一致していると判定した場合に、入力画面に入力されている入力情報を保存するとともに入力画面を非表示にし、入力情報が保存された後に、利用者識別情報を受け付けた場合に、その利用者識別情報を記憶しているか否かを確認し、記憶していた場合には、いったん非表示にした入力画面を表示装置に再表示するよう構成したので、なんらかの理由で利用者が途中で入力をやめなければならない事態が生じた場合でも、それまでに入力した入力情報をいったん保存し、後になって続きを入力することが可能になり、入力情報を効率よく入力することができるという効果を奏する。【００３８】
また、本発明によれば、利用者識別情報が一致していないと判定した場合に、入力画面に入力されている入力情報をキャンセルするとともに、記憶している利用者識別情報で識別される利用者に対して入力情報をキャンセルしたことを通知するよう構成したので、利用者が、途中で入力をやめた場合でも、その後に入力情報がキャンセルされたことを確認することが可能になり、入力情報を放置したことに対する懸念を解消することができるという効果を奏する。【００３９】
また、本発明によれば、利用者識別情報が記憶された記憶媒体から利用者識別情報を読み取る読取手段を備え、読取手段により読み取られた利用者識別情報を受け付けるよう構成したので、ユーザＩＤやパスワードなどを入力する手間を省くことが可能になり、利用者が容易に利用者識別情報を情報提供装置に認識させることができるという効果を奏する。【００４０】
また、本発明によれば、読取手段は、複数の所定の設置位置に設置され、表示装置には、複数の所定の表示位置が設定され、利用者識別情報を受け付けた場合に、利用者識別情報を読み取った読取手段の設置位置に最も近い表示位置を複数の所定の表示位置から選択し、その表示位置に入力画面を表示するよう構成したので、情報提供装置が複数の利用者によって同時に利用される場合でも、それぞれの利用者に対して視認しやすい位置に入力画面を表示することが可能になり、利用者が入力情報を容易に入力することができるという効果を奏する。【００４１】
また、本発明によれば、利用者識別情報を受け付けた場合に、すでに表示されている他の入力画面に重ならない表示位置を複数の所定の表示位置から選択し、その表示位置に入力画面を表示するよう構成したので、情報提供装置が複数の利用者によって同時に利用される場合でも、それぞれの利用者が入力情報の入力を並行して行うことができるという効果を奏する。【００４２】
また、本発明によれば、記憶媒体は、非接触ＩＣチップであり、前記利用者識別情報読取手段は、非接触ＩＣリーダであることとしたので、利用者が、非接触ＩＣカードや非接触ＩＣチップを内蔵した携帯電話などを用いて容易に利用者識別情報を情報提供装置に認識させることができるという効果を奏する。【００４３】
また、本発明によれば、利用者により入力情報が入力されない状態が所定の時間継続した場合に、入力画面を非表示にした際に、入力画面に入力されている入力情報をキャンセルするとともに、記憶している利用者識別情報で識別される利用者に対して入力情報をキャンセルしたことを通知するよう構成したので、利用者が、途中で入力をやめた場合でも、その後に入力情報がキャンセルされたことを確認することが可能になり、入力情報を放置したことに対する懸念を解消することができるという効果を奏する。
【図面の簡単な説明】
【００４４】
【図１】図１は、本実施例１に係る情報提供装置の概念を説明するための図である。
【図２】図２は、本実施例１に係る情報提供装置の構成を示す機能ブロック図である。
【図３】図３は、本実施例１に係る情報提供装置による情報提供の具体例を示す図である。
【図４】図４は、予約情報の保存を可能とする場合の情報提供の具体例を示す図である。
【図５】図５は、本実施例１に係る情報提供装置の処理手順を示すフローチャートである。
【図６】図６は、本実施例２に係る情報提供装置の概念を説明するための図である。
【図７】図７は、本実施例２に係る入力画面の一例を示す図である。
【図８】図８は、入力情報受付プログラムを実行するコンピュータの構成を示す機能ブロック図である。
【符号の説明】
【００４５】
１，１ａ，１ｂ    ＩＣカード
２    ディスプレイ
３ａ〜３ｆ，３ｘ，３ｙ    ＩＣカードリーダ
４，４ａ，４ｂ    入力画面
１０    予約管理サーバ装置
２０    ネットワーク
１００，２００    情報提供装置
１１０    表示部
１２０    入力部
１３０，１３０ａ，１３０ｂ    カード読取部
１４０    インタフェース制御部
１５０    記憶部
１５１    ユーザＩＤ記憶部
１６０    制御部
１６１    表示制御部
１６２    ユーザＩＤ比較部
１６３    予約処理部
３００    コンピュータ
３１０    ＲＡＭ
３１１    入力情報受付プログラム
３２０    ＣＰＵ
３２１    入力情報受付プロセス
３３０    ＨＤＤ
３４０    ネットワークインタフェース
３５０    入出力インタフェース
３６０    ＩＣカードリーダインタフェース
Ｘ，Ｙ    利用者
【発明を実施するための最良の形態】
【００４６】
以下に、本発明に係る情報提供装置、入力情報受付方法および入力情報受付プログラムの実施例を図面に基づいて詳細に説明する。
【実施例１】
【００４７】
まず、本実施例１に係る情報提供装置の概念について説明する。図１は、本実施例１に係る情報提供装置の概念を説明するための図である。この情報提供装置１００は、例えば駅や空港などに設置され、ホテルや民宿などの宿泊施設に関する情報を提供するとともに、宿泊施設の予約の受け付けを行うことができる装置である。【００４８】
同図に示すように、この情報提供装置１００は、宿泊施設に関する情報を表示するディスプレイ２と、非接触ＩＣチップが埋め込まれたＩＣカード１から利用者に関する情報を読み取るためのＩＣカードリーダ３ａおよび３ｂを備えている。ＩＣカード１は、情報提供装置１００を利用する利用者によって所有されており、このＩＣカード１には、利用者を識別するためのユーザＩＤなどが記録されている。情報提供装置１００は、ＩＣカードリーダ３ａおよび３ｂを用いてユーザＩＤを読み取ることによって、利用者を確認することができる。【００４９】
ディスプレイ２の下方には、「予約」および「確定」からなるメニューが表示されており、「予約」はＩＣカードリーダ３ａの上に表示され、「確定」はＩＣカードリーダ３ｂの上に表示されている。利用者は、ＩＣカードリーダ３ａにＩＣカード１をかざすことによって、宿泊施設に関する情報を情報提供装置１００に入力することができ、ＩＣカードリーダ３ｂにＩＣカード１をかざすことによって、入力した情報を確定することができる。【００５０】
例えば、この情報提供装置１００を利用して、利用者がＡホテルを予約する場合について考える。まず、情報提供装置１００のディスプレイ２には、Ａホテルの情報が表示されていたとする。そして、Ａホテルの情報を閲覧した利用者が、自身が所有するＩＣカード１をＩＣカードリーダ３ａにかざしたとする。これにより、情報提供装置１００は、ＩＣカード１から当該利用者のユーザＩＤを受け付け、受け付けたユーザＩＤを記憶する（同図（１）参照）。【００５１】
さらに、情報提供装置１００は、ディスプレイ２に、予約に必要な情報を入力するための入力画面４を表示する（同図（２）参照）。そして、利用者が、予約に必要な情報（以下、「予約情報」と呼ぶ）を入力画面４に入力し、その後に、自身が所有するＩＣカード１をＩＣカードリーダ３ｂにかざすと、情報提供装置１００は、ＩＣカード１から当該利用者のユーザＩＤを受け付け、記憶しているユーザＩＤと、ＩＣカードリーダ３ｂを介して受け付けたユーザＩＤとが一致しているか否かを判定する。そして、ユーザＩＤが一致していた場合には、情報提供装置１００は、入力画面４に入力されている予約情報の受け付けを確定する（同図（３）参照）。【００５２】
受け付けを確定した情報提供装置１００は、ネットワークを介して接続された予約管理サーバ装置に、利用者によって入力された予約情報を送信し、予約が完了したことを示す予約完了メッセージをディスプレイ２に表示する（同図（４）参照）。【００５３】
このように、本実施例１に係る情報提供装置１００では、ＩＣカードリーダ３ａによって読み取られたユーザＩＤを受け付け、そのユーザＩＤを記憶し、予約情報の入力を受け付ける入力画面を用いて利用者により予約情報が入力された後に、さらにＩＣカードリーダ３ｂによって読み取られたユーザＩＤを受け付け、受け付けたユーザＩＤと記憶しているユーザＩＤとが一致しているか否かを判定し、ユーザＩＤが一致していると判定した場合に、入力画面４を用いて入力された予約情報の受け付けを確定することとした。これにより、予約情報を入力した利用者とは異なる利用者によって当該予約情報が確定されることを防ぐことが可能になり、容易かつ確実に利用者を確認して入力情報を受け付けることができる。【００５４】
なお、ここではＩＣカードを用いた場合について説明したが、利用者を確認するための手段としては、ＩＣカードの代わりに、非接触ＩＣチップを内蔵した携帯電話などを用いることもできる。【００５５】
また、図１に示す例では、ＩＣカードリーダ３ａおよび３ｂを、それぞれ、「予約」および「確定」に対応付けた場合について説明したが、例えば、入力画面４に入力情報を入力した後に、再度ＩＣカードリーダ３ａにＩＣカード１をかざすことによって、予約情報の確定に関する処理を行うようにしてもよい。これにより、ＩＣカードリーダが一つしかなかった場合でも、同様の機能を実現することができる。【００５６】
次に、本実施例１に係る情報提供装置１００の構成について説明する。図２は、本実施例１に係る情報提供装置１００の構成を示す機能ブロック図である。同図に示すように、この情報提供装置１００は、ネットワーク２０を介して、宿泊施設の予約の空き状況などを管理する予約管理サーバ装置１０と接続されており、表示部１１０と、入力部１２０と、カード読取部１３０と、インタフェース制御部１４０と、記憶部１５０と、制御部１６０とを有する。【００５７】
なお、ここでは説明の便宜上、１台の情報提供装置１００のみを示したが、情報提供装置１００は、全国の駅や空港など各地に設置され、それぞれ、ネットワーク２０を介して予約管理サーバ装置１０に接続されるものとする。【００５８】
表示部１１０は、液晶ディスプレイやプラズマディスプレイ、プロジェクタなどの表示装置であり、宿泊施設に関する情報や、利用者が予約情報を入力するための入力画面４などを表示する。入力部１２０は、表示部１１０と一体化されたタッチパネルなどの入力装置であり、利用者が入力画面４を用いて入力した予約情報などを入力する。これら表示部１１０および入力部１２０は、図１に示したディスプレイ２に対応するものである。【００５９】
カード読取部１３０ａおよび１３０ｂは、非接触ＩＣチップから各種情報を読み取るＩＣカードリーダである。カード読取部１３０ａおよび１３０ｂは、図１に示したＩＣカードリーダ３ａおよび３ｂに対応するものであり、それぞれのＩＣカードリーダには、表示部１１０に表示されたメニューの「予約」および「確定」が対応付けられる。【００６０】
なお、ここでは２つのカード読取部を用いた場合について説明するが、カード読取部の数は１つでも２つ以上でもよく、カード読取部の数に合わせて表示部１１０に表示されるメニューを変更することによって、利用者からの要求に応じて、ＩＣカードの読み取りを契機とする各種の処理を行うことが可能になる。【００６１】
インタフェース制御部１４０は、情報提供装置１００と予約管理サーバ装置１０との間でやり取りされる各種情報の送受信を制御する処理部である。具体的には、このインタフェース制御部１４０は、利用者によって入力された予約情報などを予約管理サーバ装置１０に送信し、宿泊施設の空き状況に関する情報などを予約管理サーバ装置１０から受信する。【００６２】
記憶部１５０は、各種情報を記憶する記憶部であり、本発明に関連するものとしては、ユーザＩＤ記憶部１５１を有する。このユーザＩＤ記憶部１５０は、後述する制御部１６０から渡されたユーザＩＤを記憶する。【００６３】
制御部１６０は、情報提供装置１００全体を制御する処理部であり、本発明に関連するものとしては、表示制御部１６１と、ユーザＩＤ比較部１６２と、予約処理部１６３とを有する。【００６４】
表示制御部１６１は、表示部１１０に表示する画面の制御や、入力部１２０を介して利用者によって入力された情報や、カード読取部１３０ａおよび１３０ｂを介して受け付けたユーザＩＤなどに基づいて、予約情報の受け付けに関する処理を行う処理部である。具体的には、利用者からの要求に基づいて、宿泊施設に関する各種情報を予約管理サーバ装置１０から取得し、表示部１１０に表示する。【００６５】
また、この表示制御部１６１は、カード読取部１３０ａを介してユーザＩＤを受け付けると、受け付けたユーザＩＤをユーザＩＤ記憶部１５１に記憶するとともに、予約情報を入力するための入力画面４を表示部１１０に表示する。ここで、利用者によって予約情報が入力されない状態が所定の時間続いた場合には、表示制御部１６１は、入力画面４を非表示にする。【００６６】
ここで、表示制御部１６１が、入力画面４を非表示にするとともに、入力画面４に入力されていた予約情報をキャンセル（消去）し、ユーザＩＤ記憶部１５１に記憶されている利用者に対して、予約情報をキャンセルしたことを通知するようにしてもよい。【００６７】
さらに、表示制御部１６１は、利用者によって予約情報が入力された後に、カード読取部１３０ａを介してユーザＩＤを受け付けると、受け付けたユーザＩＤとユーザＩＤ記憶部１５１に記憶されているユーザＩＤとが一致するか否かを判定するため、受け付けたユーザＩＤをユーザＩＤ比較部１６２に渡す。【００６８】
そして、ユーザＩＤが一致していることがユーザＩＤ比較部１６２から通知された場合は、表示制御部１６１は、入力画面４に入力されている予約情報の受け付けを予約処理部１６３に渡すとともに、当該ユーザＩＤをユーザＩＤ記憶部１５１から削除し、さらに、予約が完了したことを示すメッセージを表示部１１０に表示する。【００６９】
一方、ユーザＩＤが不一致であることがユーザＩＤ比較部１６２から通知された場合には、表示制御部１６１は、予約情報の受け付けが行えないことを示すメッセージを表示部１１０に表示する。【００７０】
なお、表示制御部１６１は、入力画面４を表示する際に、ＩＣカード１に記録されている利用者の属性情報（性別や年齢、身長、職業など）に基づいて入力画面４を変更したり、入力画面４の表示位置を変更したりしてもよい。この場合、表示制御部１６１は、カード読取部１３０ａを介してユーザＩＤとともに利用者の属性情報を受け付けるようにする。そして、表示制御部１６１は、例えば、利用者が女性であった場合には、男性専用の入力項目を省き、女性専用の入力項目のみを設定した表示画面を表示したり、利用者の身長に基づいて、目線の高さに近い位置に入力画面４を表示したりするなど、利用者の属性情報に合わせて入力画面４を表示する。【００７１】
また、表示制御部１６１は、ユーザＩＤが不一致であることがユーザＩＤ比較部１６２から通知された場合に、さらに入力画面４に入力されている予約情報をキャンセル（消去）し、ユーザＩＤ記憶部１５１に記憶されている利用者に対して、予約情報をキャンセルしたことを通知するようにしてもよい。【００７２】
ユーザＩＤ比較部１６２は、予約情報を入力する際に受け付けられたユーザＩＤと、予約情報を確定する際に受け付けられたユーザＩＤを比較して、それぞれが一致しているか否かを判定する処理部である。具体的には、このユーザＩＤ比較部１６２は、表示制御部１６１からユーザＩＤが渡されると、渡されたユーザＩＤとユーザＩＤ記憶部１５１に記憶されているユーザＩＤとが一致しているか否かを判定し、判定結果（一致または不一致）を表示制御部１６１に通知する。【００７３】
予約処理部１６３は、入力画面４に入力された予約情報に基づいて、宿泊施設の予約に関する処理を行う処理部である。具体的には、この予約処理部１６３は、表示制御部１６１から渡された予約情報に基づいて、予約管理サーバ装置１０に対して予約を要求するための予約要求情報を生成し、生成した予約要求情報を、インタフェース制御部１４０を介して予約管理サーバ装置１０に送信する。これにより、予約管理サーバ装置１０において、宿泊施設の予約を行う処理が行われる。【００７４】
次に、本実施例１に係る情報提供装置１００による情報提供の具体例について説明する。図３は、本実施例１に係る情報提供装置１００による情報提供の具体例を示す図である。同図に示す情報提供装置１００においては、ディスプレイ２（図２に示した表示部１１０に対応）の下方に複数の宿泊施設（「Ａホテル」、「Ｂホテル」、「Ｃホテル」および「Ｄホテル」）の一覧が表示されており、さらに、その一覧から利用者によって選択された「Ａホテル」に関する情報が、ディスプレイ２の上部に表示されている。【００７５】
また、この情報提供装置１００には、３つのＩＣカードリーダ３ａ、３ｂ（図２に示したカード読取部１３０ａ、１３０ｂにそれぞれ対応）および３ｘが備えられており、各ＩＣカードリーダの上には、「クーポン取得」、「予約」および「確定」からなるメニューが表示されており、「予約」は、ＩＣカードリーダ３ａの上に位置するように表示され、「確定」は、ＩＣカードリーダ３ｂの上に位置するように表示され、「クーポン取得」は、ＩＣカードリーダ３ｘの上に位置するように表示されている。【００７６】
そのため利用者は、ＩＣカードリーダ３ａにＩＣカード１をかざした場合には予約情報を入力する処理を行うことができ、ＩＣカードリーダ３ｂにＩＣカード１をかざした場合には予約情報を確定する処理を行うことができ、ＩＣカードリーダ３ｘにＩＣカード１をかざした場合には割引情報を取得することができる。ここで取得された割引情報は、当該利用者と対応付けたうえで予約管理サーバ装置１０に送信されるようにしてもよいし、ＩＣカードリーダに書き込まれるようにしてもよい。【００７７】
なお、ＩＣカードリーダをさらに一つ備えることとし、そのＩＣカードリーダに利用者がＩＣカード１をかざすことによって、途中まで入力した予約情報を保存することができるようにしてもよい。図４は、予約情報の保存を可能とする場合の情報提供の具体例を示す図である。同図に示す情報提供装置１００には、ＩＣカードリーダ３ｙがさらに備えられており、メニューには、ＩＣカードリーダ３ｙの上の位置に「保存」が表示されている。【００７８】
この場合には、情報提供装置１００は、利用者によってＩＣカードリーダ３ｙにＩＣカード１がかざされると、表示制御部１６１が、メニューから「保存」が選択されたと判断し、ＩＣカードリーダ３ｙによって読み取られたユーザＩＤを受け付け、受け付けたユーザＩＤとユーザＩＤ記憶部１５１に記憶されているユーザＩＤとが一致するか否かを判定するため、受け付けたユーザＩＤをユーザＩＤ比較部１６２に渡す。【００７９】
そして、ユーザＩＤが一致していることがユーザＩＤ比較部１６２から通知された場合は、表示制御部１６１は、入力画面４に入力されている予約情報をユーザＩＤと対応付けたうえで記憶部１５０に保存するとともに、入力画面４を非表示にする。【００８０】
その後、利用者によってＩＣカードリーダ３ａにＩＣカード１がかざされた場合には、表示制御部１６１は、最初に予約情報が入力された時と同様に、ＩＣカードリーダ３ａによって読み取られたユーザＩＤとユーザＩＤ記憶部１５１に記憶されているユーザＩＤとをユーザＩＤ比較部１６２に比較させ、ユーザＩＤが一致していた場合には、予約情報を保存した利用者によって再度メニューから「予約」が選択されたと判断し、記憶している予約情報を読み出し、その予約情報を設定したうえで入力画面４を再表示する。【００８１】
次に、本実施例１に係る情報提供装置１００の処理手順について説明する。図５は、本実施例１に係る情報提供装置１００の処理手順を示すフローチャートである。なお、ここでは、図３に示した具体例に合わせて、図２に示した表示部１１０、カード読取部１３０ａおよび１３０ｂを、それぞれディスプレイ２、ＩＣカードリーダ３ａおよび３ｂとして説明する。【００８２】
同図に示すように、この情報提供装置１００では、利用者によってホテルの一覧から宿泊施設が選択されると（ステップＳ１０１，Ｙｅｓ）、表示制御部１６１が、選択された宿泊施設の情報を予約管理サーバ装置１０から取得して、ディスプレイ２に表示する（ステップＳ１０２）。【００８３】
続いて、利用者によってＩＣカード１がＩＣカードリーダ３ａにかざされると、表示制御部１６１が、メニューから「予約」が選択されたと判断し（ステップＳ１０３，Ｙｅｓ）、ＩＣカードリーダ３ａによって読み取られたユーザＩＤを受け付け（ステップＳ１０４）、受け付けたユーザＩＤをユーザＩＤ記憶部１５１に記憶する（ステップＳ１０５）。【００８４】
さらに、表示制御部１６１は、ディスプレイ２に入力画面４を表示して（ステップＳ１０６）、予約情報の入力を受け付ける（ステップＳ１０７）。ここで、利用者によって予約情報が入力されない状態が所定の時間続いた場合には（ステップＳ１０８，Ｙｅｓ）、表示制御部１６１は、入力画面４を非表示にする（ステップＳ１０９）。【００８５】
一方、利用者によって所定の時間内に予約情報が入力された後に（ステップ１０８，Ｎｏ）、ＩＣカード１がＩＣカードリーダ３ｂにかざされた場合には、表示制御部１６１は、メニューから「確定」が選択されたと判断し（ステップＳ１１０，Ｙｅｓ）、ＩＣカードリーダ３ｂによって読み取られたユーザＩＤを受け付ける（ステップＳ１１１）。【００８６】
そして、ユーザＩＤ比較部１６２が、表示制御部１６１によって受け付けられたユーザＩＤとユーザＩＤ記憶部１５１に記憶されているユーザＩＤとを比較し（ステップＳ１１２）、ユーザＩＤが一致していた場合には（ステップＳ１１３，Ｙｅｓ）、予約処理部１６３が、予約管理サーバ装置１０に対して予約を要求する予約処理を実行し（ステップＳ１１４）、表示制御部１６１が、ディスプレイ２に予約完了メッセージを表示する（ステップＳ１１５）。【００８７】
一方、ユーザＩＤが一致していなかった場合には（ステップＳ１１３，Ｎｏ）、表示制御部１６１が、予約情報の受け付けが行えないことを示すメッセージをディスプレイ２に表示する（ステップＳ１１６）。【００８８】
上述してきたように、本実施例１では、表示制御部１６１が、ＩＣカードリーダ３ａ（カード読取部１３０ａ）により読み取られたユーザＩＤを受け付け、そのユーザＩＤをユーザＩＤ記憶部１５１に記憶し、予約情報の入力を受け付ける入力画面４を用いて利用者により予約情報が入力された後に、さらにＩＣカードリーダ３ｂ（カード読取部１３０ｂ）により読み取られたユーザＩＤを受け付け、ユーザＩＤ比較部１６２が、さらに受け付けられたユーザＩＤとユーザＩＤ記憶部１５１に記憶されているユーザＩＤとが一致しているか否かを判定し、ユーザＩＤ比較部１６２によってユーザＩＤが一致していると判定された場合に、予約処理部１６３が、入力画面４を用いて入力された予約情報の受け付けを確定するので、予約情報を入力した利用者とは異なる利用者によって当該予約情報が確定されることを防ぐことが可能になり、容易かつ確実に利用者を確認して予約情報を受け付けることができる。【００８９】
また、本実施例１では、表示制御部１６１が、最初にＩＣカードリーダ３ａにより読み取られた利用者識別情報を受け付けた場合に、入力画面４を表示するので、あらかじめディスプレイ２に固定して入力画面４を表示しておく場合に比べ、ディスプレイ２の表示画面を効率よく利用することができる。【００９０】
また、本実施例１では、表示制御部１６１が、ＩＣカードリーダ３ａにより読み取られた利用者属性情報を利用者からさらに受け付け、受け付けた利用者属性情報に基づいて、表示する入力画面４を変更してもよいとした。これにより、性別や年齢など利用者の属性に応じて、利用者に入力させる項目を絞り込むことが可能になり、予約情報の入力にかかる時間を短縮することができる。【００９１】
また、本実施例１では、表示制御部１６１が、ＩＣカードリーダ３ａにより読み取られた利用者属性情報を利用者からさらに受け付け、受け付けた利用者属性情報に基づいて、表示する入力画面４の表示位置を変更してもよいとした。これにより、利用者の身長などに合わせて入力し易い位置に入力画面４を表示することが可能になり、予約情報の入力にかかる利用者の負担を軽減することができる。【００９２】
また、本実施例１では、表示制御部１６１が、入力画面４を表示した後に、利用者により予約情報が入力されない状態が所定の時間継続した場合に、入力画面４を非表示にするので、なんらかの理由で利用者が途中で入力をやめた場合でも、自動的に入力画面４を非表示にすることが可能になり、入力画面４が表示されたまま放置されることを防ぐことができる。【００９３】
また、本実施例１では、表示した入力画面４を用いて利用者により予約情報の一部が入力された後に、さらにＩＣカードリーダ３ｙにより読み取られたユーザＩＤを受け付け、ユーザＩＤ比較部１６２が、さらに受け付けられたユーザＩＤとユーザＩＤ記憶部１５１に記憶されているユーザＩＤとが一致しているか否かを判定し、ユーザＩＤ比較部１６２によりユーザＩＤが一致していると判定された場合に、表示制御部１６１が、入力画面４に入力されている予約情報を記憶部１５０に保存するとともに入力画面４を非表示にし、予約情報が保存された後に、ＩＣカードリーダ３ａにより読み取られたユーザＩＤを受け付けた場合に、そのユーザＩＤがユーザＩＤ記憶部１５１に記憶されているか否かを確認し、記憶されていた場合には、いったん非表示にした入力画面４をディスプレイ２に再表示するようにしてもよいとした。これにより、なんらかの理由で利用者が途中で入力をやめなければならない事態が生じた場合でも、それまでに入力した予約情報をいったん保存し、後になって続きを入力することが可能になり、予約情報を効率よく入力することができる。【００９４】
また、本実施例１では、表示制御部１６１が、ユーザＩＤ比較部１６２によりユーザＩＤが一致していないと判定された場合に、入力画面４に入力されている予約情報をキャンセルするとともに、ユーザＩＤ記憶部１５１に記憶されているユーザＩＤで識別される利用者に対して予約情報をキャンセルしたことを通知してもよいとした。これにより、利用者が、途中で入力をやめた場合でも、その後に予約情報がキャンセルされたことを確認することが可能になり、予約情報を放置したことに対する利用者の懸念を解消することができる。【００９５】
また、本実施例１では、ユーザＩＤが記憶されたＩＣチップからユーザＩＤを読み取るＩＣカードリーダを備え、ＩＣカードリーダにより読み取られたユーザＩＤを受け付けるので、ユーザＩＤやパスワードなどを入力する手間を省くことが可能になり、利用者が容易にユーザＩＤを情報提供装置１００に認識させることができる。【００９６】
また、本実施例１では、ユーザＩＤが記憶されるＩＣチップは、非接触ＩＣチップであり、ＩＣカードリーダ３ａ、３ｂ、３ｘおよび３ｙは、非接触ＩＣリーダであることとしたので、利用者が、非接触ＩＣカードや非接触ＩＣチップを内蔵した携帯電話などを用いて容易にユーザＩＤを情報提供装置１００に認識させることができる。【００９７】
また、本実施例１では、表示部１６１が、利用者により入力情報が入力されない状態が所定の時間継続した場合に、入力画面４を非表示にした際に、入力画面４に入力されている入力情報をキャンセルするとともに、ユーザＩＤ記憶部１５１に記憶されているユーザＩＤで識別される利用者に対して予約情報をキャンセルしたことを通知してもよいとした。これにより、利用者が、途中で入力をやめた場合でも、その後に入力情報がキャンセルされたことを確認することが可能になり、入力情報を放置したことに対する懸念を解消することができる。
【実施例２】
【００９８】
ところで、上記実施例１では、宿泊施設に関する情報を提供するとともに宿泊施設の予約の受け付けを行うことができる情報提供装置に本発明を適用した場合について説明したが、本発明はこれに限られず、例えば、駅などに設置されて、列車の運行情報を提供するとともに列車の座席を予約する情報提供装置にも同様に適用することができる。【００９９】
また、上記実施例１では、一人の利用者が情報提供装置を利用する場合について説明したが、ＩＣカードリーダを多数備えることにより、複数の利用者が同時に情報提供装置を利用することも可能である。【０１００】
そこで、以下では、列車の運行情報を提供するとともに列車の座席を予約する情報提供装置に本発明を適用し、複数の利用者が同時に情報提供装置を利用する場合について、実施例２として説明する。なお、以下に説明する情報提供装置は、基本的には実施例１で説明した情報提供装置１００と同様の構成および処理手順を有するものであるので、ここでは説明の便宜上、構成および処理手順に関する説明は省略し、本実施例２に係る情報提供装置の概念および入力画面の一例について説明する。【０１０１】
図６は、本実施例２に係る情報提供装置の概念を説明するための図である。この情報提供装置２００は、例えば駅などに設置され、列車の運行情報を提供するとともに列車の座席を予約することができる装置である。【０１０２】
同図に示すように、この情報提供装置２００は、列車の運行情報を表示するディスプレイ２と、非接触ＩＣチップが埋め込まれたＩＣカードから利用者に関する情報を読み取るためのＩＣカードリーダ３ａ、３ｂ、３ｃ、３ｄ、３ｅおよび３ｆを備えている。ＩＣカードは、情報提供装置２００を利用する複数の利用者によって所有されており、各ＩＣカードには、利用者を識別するためのユーザＩＤなどが記録されている。情報提供装置２００は、ＩＣカードリーダ３ａ、３ｂ、３ｃ、３ｄ、３ｅおよび３ｆを用いてユーザＩＤを読み取ることによって、利用者を確認することができる。【０１０３】
ディスプレイ２の下方には、複数の「予約」および「確定」の組からなるメニューが表示されており、「予約」はＩＣカードリーダ３ａ、３ｃおよび３ｅの上に表示され、「確定」はＩＣカードリーダ３ｂ、３ｄおよび３ｆの上に表示されている。利用者は、ＩＣカードリーダ３ａ、３ｃまたは３ｅにＩＣカードをかざすことによって、座席予約に関する情報を情報提供装置１００に入力することができ、ＩＣカードリーダ３ｂ、３ｄまたは３ｆにＩＣカードをかざすことによって、入力した情報を確定することができる。【０１０４】
例えば、この情報提供装置２００を利用して、利用者Ｘおよび利用者Ｙが列車の座席を予約する場合について考える。まず、情報提供装置２００のディスプレイ２には、その日に運行されている列車の列車名や発時刻、着時刻、座席の空き状況（「×」は空席なし、「△」は若干の空席あり、「○」は十分に空席あり、を示す）などが表示されていたとする。【０１０５】
そして、列車０２号の座席に空席があることを確認した利用者Ｘが、自身が所有するＩＣカード１ａをＩＣカードリーダ３ａにかざしたとする。これにより、情報提供装置２００は、ＩＣカード１ａから利用者ＸのユーザＩＤを受け付け、受け付けたユーザＩＤを記憶する。また、同時に、列車０３号の座席に空席があることを確認した利用者Ｙが、自身が所有するＩＣカード１ｂをＩＣカードリーダ３ｅにかざしたとする。これにより、情報提供装置２００は、ＩＣカード１ｂから利用者ＹのユーザＩＤを受け付け、受け付けたユーザＩＤを記憶する。情報提供装置２００は、利用者ごとにユーザＩＤを記憶する（同図の（１）参照）。【０１０６】
さらに、情報提供装置２００は、ディスプレイ２上のＩＣカードリーダ３ａの付近に設定された表示位置に、列車０２号の座席の予約に必要な情報を入力するための入力画面４ａを表示し、ディスプレイ２上のＩＣカードリーダ３ｅの付近に設定された表示位置に、列車０３号の座席の予約に必要な情報を入力するための入力画面４ｂを表示する（同図の（２）参照）。【０１０７】
この時、情報提供装置２００は、利用者Ｘと利用者Ｙの間の距離が近い場合であっても、入力画面４ａおよび４ｂが重ならないように、ディスプレイ２上に設定された表示位置を選択し、それぞれの入力画面を表示する。【０１０８】
そして、利用者Ｘは、列車０２号の座席の予約に必要な情報（以下、「座席予約情報」と呼ぶ）を入力画面４ａに入力し、利用者Ｙは、列車０３号の座席予約情報を入力画面４ｂに入力し、その後に、利用者ＸはＩＣカードリーダ３ｂにＩＣカード１ａを、利用者ＹはＩＣカードリーダ３ｆにＩＣカード１ｂをかざすことによって、座席予約情報の確定を行う。以下に、この座席予約情報の確定について、入力画面を例示して説明する。【０１０９】
なお、入力画面４ａおよび４ｂは、列車の座席数など車両の形式などによって、表示形式が異なるが、ここでは、その一例を、利用者Ｘが表示した入力画面４ａとして説明する。図７は、本実施例２に係る入力画面４ａの一例を示す図である。【０１１０】
例えば、同図に示すように、入力画面４ａには、車両の種類を選ぶための項目（「喫煙」、「禁煙」および「どちらでもよい」）や、座席の位置を選ぶための項目（「窓際」、「通路側」および「どちらでもよい」）などが表示される。利用者は、これらの項目から、希望に合う項目を選択する（同図の（１）参照）。【０１１１】
そして、利用者Ｘが、希望の項目を選択すると、情報提供装置２００は、ネットワークを介して接続された座席予約管理サーバ装置などに問い合わせることによって、希望に見合う座席を選び出し、選び出した座席を入力画面４ａに表示する（同図の（２）参照）。      【０１１２】
その後に、利用者が、自身が所有するＩＣカード１ａをＩＣカードリーダ３ｂにかざすと、情報提供装置２００は、ＩＣカード１ａから利用者ＸのユーザＩＤを受け付け、記憶しているユーザＩＤに、ＩＣカードリーダ３ｂを介して受け付けたユーザＩＤが存在しているか否かを判定する。そして、ユーザＩＤが存在していた場合には、情報提供装置２００は、入力画面４ａに入力されている座席予約情報の受け付けを確定し、座席を確定したことを示すメッセージを入力画面４ａに表示する（同図の（３）参照）。【０１１３】
上述してきたように、本実施例２では、ＩＣカードリーダ３ａ〜３ｆは、複数の所定の設置位置に設置され、ディスプレイ２には、複数の所定の表示位置が設定され、表示制御部１６１が、ＩＣカードリーダ３ａ、３ｃまたは３ｅにより読み取られたユーザＩＤを受け付けた場合に、ユーザＩＤを読み取ったＩＣカードリーダの設置位置に最も近い表示位置を複数の所定の表示位置から選択し、その表示位置に入力画面を表示するので、情報提供装置２００が複数の利用者によって同時に利用される場合でも、それぞれの利用者に対して視認しやすい位置に入力画面を表示することが可能になり、利用者が座席予約情報を容易に入力することができる。【０１１４】
また、本実施例２では、表示制御部１６１が、ユーザＩＤを受け付けた場合に、すでに表示されている他の入力画面に重ならない表示位置を複数の所定の表示位置から選択し、その表示位置に入力画面を表示するので、情報提供装置２００が複数の利用者によって同時に利用される場合でも、それぞれの利用者が座席予約情報の入力を並行して行うことができる。【０１１５】
なお、上記実施例では、利用者がそれぞれＩＣカードを所有し、１枚のＩＣカードで一連の処理（予約情報の入力から確定までの処理）を行う場合について説明したが、例えば、複数のユーザＩＤをグループ化し、同一グループに属するユーザＩＤが記録されたＩＣカードであれば、ユーザＩＤが一致しているとみなすようにしてもよい。これにより、例えば同じ家族の一員同士や同じ会社の一員同士であれば、予約情報の入力と確定とを分けて処理することが可能になる。【０１１６】
また、上記実施例では、ＩＣチップに記録されたユーザＩＤを用いて利用者を確認する場合について説明したが、例えば、顔や指紋、網膜などの生体情報を用いて利用者を確認するようにしてもよい。これにより、利用者はＩＣカードを持ち歩く必要がなくなり、さらに容易かつ確実に利用者を確認することができる。【０１１７】
なお、上記実施例では、宿泊施設を予約する情報提供装置、および、列車の座席を予約する情報提供装置に本発明を適用した場合について説明したが、本発明はこれに限定されるものではなく、例えば、空港などに設置されて、飛行機の席を予約する情報提供装置や、飲食店を予約する情報提供装置などにも同様に適用することができる。【０１１８】
また、上記実施例では情報提供装置について説明したが、上述した情報提供装置が有する各処理部（表示制御部１６１、ユーザＩＤ比較部１６２および予約処理部１６３）の機能をソフトウェアによって実現することで、同様の機能を有する入力情報受付プログラムを得ることができる。そこで、この入力情報受付プログラムを実行するコンピュータについて説明する。【０１１９】
図８は、入力情報受付プログラムを実行するコンピュータの構成を示す機能ブロック図である。同図に示すように、このコンピュータ３００は、ＲＡＭ（Random  Access  Memory）３１０と、ＣＰＵ（Central  Processing  Unit）３２０と、ＨＤＤ（Hard  Disk  Drive）３３０と、ネットワークインタフェース３４０と、入出力インタフェース３５０と、ＩＣカードリーダインタフェース３６０とを有する。【０１２０】
ＲＡＭ３１０は、プログラムやプログラムの実行途中結果や、プログラムの実行に必要なデータ（ユーザＩＤ記憶部１５１のデータなど）などを記憶するメモリであり、ＣＰＵ３２０は、ＲＡＭ３１０からプログラムを読み出して実行する中央処理装置である。【０１２１】
ＨＤＤ３３０は、プログラムやデータを格納するディスク装置であり、ネットワークインタフェース３４０は、コンピュータ３００をネットワーク経由で他のコンピュータ（予約管理サーバ装置１０など）に接続するためのインタフェースである。【０１２２】
入出力インタフェース３５０は、表示装置（表示部１１０など）、および、タッチパネルなどの入力装置（入力部１２０など）を接続するためのインタフェースであり、ＩＣカードリーダインタフェース３６０は、ＩＣカードリーダ（カード読取部１３０ａ、１３０ｂなど）を接続するためのインタフェースである。【０１２３】
そして、このコンピュータ３００において実行される入力情報受付プログラム３１１は、あらかじめコンピュータ３００にインストールされるか、または、ネットワークインタフェース３４０を介して接続された他のコンピュータシステムのデータベースなどに記憶され、これらのデータベースから読み出されてコンピュータ３００にインストールされる。【０１２４】
そして、インストールされた入力情報受付プログラム３１１は、ＨＤＤ３３０に記憶され、ＲＡＭ３１０に読み出されてＣＰＵ３２０によって入力情報受付プロセス３２１として実行される。【０１２５】
また、上記実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。【０１２６】
この他、上記文書中や図面中で示した処理手順、制御手順、具体的名称、各種のデータやパラメータを含む情報については、特記する場合を除いて任意に変更することができる。【０１２７】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。【０１２８】
さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１２９】
以上のように、本発明に係る情報提供装置、入力情報受付方法および入力情報受付プログラムは、表示装置に表示した各種情報に関する入力情報を利用者から受け付ける情報提供装置に有用であり、特に、容易かつ確実に利用者を確認して入力情報を受け付けるが求められる場合に適している。
【図１】
2008035397.tif 000003
【図２】
2008035397.tif 000004
【図３】
2008035397.tif 000005
【図４】
2008035397.tif 000006
【図５】
2008035397.tif 000007
【図６】
2008035397.tif 000008
【図７】
2008035397.tif 000009
【図８】
2008035397.tif 000010
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
表示装置に各種情報を表示するとともに該各種情報に関する入力情報を利用者から受け付ける情報提供装置であって、
前記利用者を識別する利用者識別情報を受け付け、該利用者識別情報を記憶する利用者識別情報受付手段と、
所定の入力情報の入力を受け付ける入力画面を用いて利用者により入力情報が入力された後に、さらに前記利用者識別情報を受け付ける利用者識別情報再受付手段と、
前記利用者識別情報再受付手段により受け付けられた利用者識別情報と前記利用者識別情報受付手段により記憶された利用者識別情報とが一致しているか否かを判定する利用者識別情報比較手段と、
前記利用者識別情報比較手段により、利用者識別情報が一致していると判定された場合に、前記入力画面を用いて入力された入力情報の受け付けを確定する利用者情報確定手段と、
を備えたことを特徴とする情報提供装置。
【請求項２】
前記利用者識別情報受付手段により前記利用者識別情報が受け付けられた場合に、前記入力画面を表示する入力画面表示手段をさらに備えたことを特徴とする請求項１に記載の情報提供装置。
【請求項３】
前記利用者識別情報が記憶された記憶媒体から該利用者識別情報を読み取る利用者識別情報読取手段をさらに備え、
前記利用者識別情報受付手段は、前記利用者識別情報読取手段により読み取られた利用者識別情報を受け付けることを特徴とする請求項１または２に記載の情報提供装置。
【請求項４】
表示装置に各種情報を表示するとともに該各種情報に関する入力情報を利用者から受け付ける入力情報受付方法であって、
前記利用者を識別する利用者識別情報を受け付け、該利用者識別情報を記憶する利用者識別情報受付工程と、
所定の入力情報の入力を受け付ける入力画面を用いて該入力情報が利用者により入力された後に、前記利用者識別情報を受け付ける利用者識別情報再受付工程と、
前記利用者識別情報再受付工程により受け付けられた利用者識別情報と前記利用者識別情報受付工程により記憶された利用者識別情報とが一致しているか否かを判定する利用者識別情報比較工程と、
前記利用者識別情報比較工程により、利用者識別情報が一致していると判定された場合に、前記入力画面を用いて入力された入力情報の受け付けを確定する利用者情報確定工程と、
を含んだことを特徴とする入力情報受付方法。
【請求項５】
表示装置に各種情報を表示するとともに該各種情報に関する入力情報を利用者から受け付ける入力情報受付プログラムであって、
前記利用者を識別する利用者識別情報を受け付け、該利用者識別情報を記憶する利用者識別情報受付手順と、
所定の入力情報の入力を受け付ける入力画面を用いて該入力情報が利用者により入力された後に、前記利用者識別情報を受け付ける利用者識別情報再受付手順と、
前記利用者識別情報再受付手順により受け付けられた利用者識別情報と前記利用者識別情報受付手順により記憶された利用者識別情報とが一致しているか否かを判定する利用者識別情報比較手順と、
前記利用者識別情報比較手順により、利用者識別情報が一致していると判定された場合に、前記入力画面を用いて入力された入力情報の受け付けを確定する利用者情報確定手順と、
をコンピュータに実行させることを特徴とする入力情報受付プログラム。
【手続補正２】
【補正対象書類名】明細書
【補正対象項目名】全文
【補正方法】変更
【補正の内容】
【発明の詳細な説明】
【技術分野】
【０００１】
本発明は、表示装置に表示した各種情報に関する入力情報を利用者から受け付ける情報提供装置、入力情報受付方法および入力情報受付プログラムに関し、特に、容易かつ確実に利用者を確認して入力情報を受け付けることができる情報提供装置、入力情報受付方法および入力情報受付プログラムに関するものである。
【背景技術】
【０００２】
近年、電車やバスなどの交通手段や宿泊施設などの情報を利用者に提供するとともに、乗車切符や宿泊の予約を受け付けることができる情報提供装置が各種サービスカウンタやコンビニエンスストアなどに設置されるようになった。
【０００３】
このような情報提供装置では、不正利用を防止したり、予約にかかる料金を請求したりするため、利用者の確認を行う必要がある。
【０００４】
利用者を確認するための方法は多数提案されているが、その一つとして、利用者を識別するためのユーザＩＤが記録されたＩＤカードを用いる方法がある。この方法では、情報提供装置は、装置に備えられたカードリーダやカードスロットでＩＤカードに記録されたユーザＩＤを読み取ることによって、利用者を確認している。（例えば、特許文献１および２参照。）
【０００５】
さらに、近年では、非接触ＩＣチップが埋め込まれたカード（以下、「ＩＣカード」と呼ぶ）や、非接触ＩＣチップが内蔵された携帯電話が普及してきており、非接触ＩＣチップに記録されたユーザＩＤを非接触ＩＣリーダ（以下、「ＩＣリーダ」と呼ぶ）で読み取ることによって、利用者を確認することが可能になった。
【０００６】
かかるＩＣカードや携帯電話を用いることにより、例えばＩＣカードを財布などに入れたままでも、財布ごと非接触ＩＣリーダにかざすことによって、容易に利用者の確認を行うことができるとともに、利用者がＩＣカードをカードスロットに挿したまま取り忘れることを防ぐことができる。
【０００７】
【特許文献１】特開平９−１２８３１９号公報
【特許文献２】特開２００５−３４６３５４号公報
【発明の開示】
【発明が解決しようとする課題】
【０００８】
しかしながら、情報提供装置で切符や宿泊施設などの予約を行う場合には、利用日や利用人数など、所定の情報を情報提供装置に入力する必要がある。この入力には、入力すべき項目が多い場合は、相応の時間および労力が必要になり、そのため、利用者を確認するタイミングが問題となる。
【０００９】
例えば、所定の情報を入力する前に利用者を確認した場合には、利用者がなんらかの理由で入力を中断して情報提供装置から離れた際に、他の利用者がそれまでに入力されていた情報を変更して予約を確定することが可能になり、本来の利用者が意図していない予約が行われてしまうという問題がある。
【００１０】
そのため、いかにして容易かつ確実に利用者を確認して入力情報を受け付けるかが、極めて大きな課題となっている。
【００１１】
本発明は、上記に鑑みてなされたものであって、容易かつ確実に利用者を確認して入力情報を受け付けることができる情報提供装置、入力情報受付方法および入力情報受付プログラムを提供することを目的とする。
【課題を解決するための手段】
【００１２】
上述した課題を解決し、目的を達成するため、本発明は、表示装置に各種情報を表示するとともに該各種情報に関する入力情報を利用者から受け付ける情報提供装置であって、前記利用者を識別する利用者識別情報を受け付け、該利用者識別情報を記憶する利用者識別情報受付手段と、所定の入力情報の入力を受け付ける入力画面を用いて利用者により入力情報が入力された後に、さらに前記利用者識別情報を受け付ける利用者識別情報再受付手段と、前記利用者識別情報再受付手段により受け付けられた利用者識別情報と前記利用者識別情報受付手段により記憶された利用者識別情報とが一致しているか否かを判定する利用者識別情報比較手段と、前記利用者識別情報比較手段により、利用者識別情報が一致していると判定された場合に、前記入力画面を用いて入力された入力情報の受け付けを確定する利用者情報確定手段と、を備えたことを特徴とする。
【００１３】
また、本発明は、上記の発明において、前記利用者識別情報受付手段により前記利用者識別情報が受け付けられた場合に、前記入力画面を表示する入力画面表示手段をさらに備えたことを特徴とする。
【００１４】
また、本発明は、上記の発明において、前記利用者識別情報受付手段は、利用者の属性を示す利用者属性情報を前記利用者からさらに受け付け、前記入力画面表示手段は、前記利用者識別情報受付手段により受け付けられた利用者属性情報に基づいて、表示する入力画面を変更することを特徴とする。
【００１５】
また、本発明は、前記利用者識別情報受付手段は、利用者の属性を示す利用者属性情報を前記利用者からさらに受け付け、前記入力画面表示手段は、前記利用者識別情報受付手段により受け付けられた利用者属性情報に基づいて、表示する入力画面の表示位置を変更することを特徴とする。
【００１６】
また、本発明は、上記の発明において、前記入力画面表示手段は、前記入力画面を表示した後に、利用者により入力情報が入力されない状態が所定の時間継続した場合に、前記入力画面を非表示にすることを特徴とする。
【００１７】
また、本発明は、上記の発明において、前記入力画面表示手段により表示された入力画面を用いて利用者により入力情報の一部が入力された後に、さらに前記利用者識別情報を受け付ける利用者識別情報仮受付手段と、前記利用者識別情報仮受付手段により受け付けられた利用者識別情報と前記利用者識別情報受付手段により記憶された利用者識別情報とが一致しているか否かを判定する利用者識別情報仮比較手段と、前記利用者識別情報仮比較手段により、利用者識別情報が一致していると判定された場合に、前記入力画面に入力されている入力情報を保存するとともに該入力画面を非表示にする入力情報保存手段と、前記入力情報保存手段により入力情報が保存された後に、前記利用者識別情報受付手段により利用者識別情報が受け付けられた場合に、該利用者識別情報が記憶されているか否かを確認し、記憶されていた場合には、前記入力情報保存手段により非表示にされた入力画面を前記表示装置に再表示する入力画面再表示手段と、をさらに備えたことを特徴とする。
【００１８】
また、本発明は、上記の発明において、前記利用者識別情報比較手段により利用者識別情報が一致していないと判定された場合に、前記入力画面に入力されている入力情報をキャンセルするとともに、前記利用者識別情報受付手段により記憶された利用者識別情報で識別される利用者に対して入力情報をキャンセルしたことを通知するキャンセル通知手段をさらに備えたことを特徴とする。
【００１９】
また、本発明は、上記の発明において、前記利用者識別情報が記憶された記憶媒体から該利用者識別情報を読み取る利用者識別情報読取手段をさらに備え、前記利用者識別情報受付手段は、前記利用者識別情報読取手段により読み取られた利用者識別情報を受け付けることを特徴とする。
【００２０】
また、本発明は、上記の発明において、前記利用者識別情報読取手段は、複数の所定の設置位置に設置され、前記表示装置には、複数の所定の表示位置が設定され、前記入力画面表示手段は、前記利用者識別情報受付手段により前記利用者識別情報が受け付けられた場合に、該利用者識別情報を読み取った利用者識別情報読取手段の設置位置に最も近い表示位置を前記複数の所定の表示位置から選択し、該表示位置に入力画面を表示することを特徴とする。
【００２１】
また、本発明は、上記の発明において、前記入力画面表示手段は、前記利用者識別情報受付手段により前記利用者識別情報が受け付けられた場合に、すでに表示されている他の入力画面に重ならない表示位置を前記複数の所定の表示位置から選択し、該表示位置に入力画面を表示することを特徴とする。
【００２２】
また、本発明は、上記の発明において、前記記憶媒体は、非接触ＩＣチップであり、前記利用者識別情報読取手段は、非接触ＩＣリーダであることを特徴とする。
【００２３】
また、本発明は、上記の発明において、利用者により入力情報が入力されない状態が所定の時間継続した場合に、前記画面表示手段により前記入力画面が非表示にされた際に、該入力画面に入力されている入力情報をキャンセルするとともに、前記利用者識別情報受付手段により記憶された利用者識別情報で識別される利用者に対して入力情報をキャンセルしたことを通知するキャンセル通知手段をさらに備えたことを特徴とする。
【００２４】
また、本発明は、表示装置に各種情報を表示するとともに該各種情報に関する入力情報を利用者から受け付ける入力情報受付方法であって、前記利用者を識別する利用者識別情報を受け付け、該利用者識別情報を記憶する利用者識別情報受付工程と、所定の入力情報の入力を受け付ける入力画面を用いて該入力情報が利用者により入力された後に、前記利用者識別情報を受け付ける利用者識別情報再受付工程と、前記利用者識別情報再受付工程により受け付けられた利用者識別情報と前記利用者識別情報受付工程により記憶された利用者識別情報とが一致しているか否かを判定する利用者識別情報比較工程と、前記利用者識別情報比較工程により、利用者識別情報が一致していると判定された場合に、前記入力画面を用いて入力された入力情報の受け付けを確定する利用者情報確定工程と、を含んだことを特徴とする。
【００２５】
また、本発明は、上記の発明において、前記利用者識別情報受付工程により前記利用者識別情報が受け付けられた場合に、前記入力画面を表示する入力画面表示工程をさらに含んだことを特徴とする。
【００２６】
また、本発明は、上記の発明において、前記利用者識別情報受付工程は、利用者の属性を示す利用者属性情報を前記利用者からさらに受け付け、前記入力画面表示工程は、前記利用者識別情報受付工程により受け付けられた利用者属性情報に基づいて、表示する入力画面を変更することを特徴とする。
【００２７】
また、本発明は、上記の発明において、前記利用者識別情報が記憶された記憶媒体から該利用者識別情報を読み取る利用者識別情報読取工程をさらに含み、前記利用者識別情報受付工程は、前記利用者識別情報読取工程により読み取られた利用者識別情報を受け付けることを特徴とする。
【００２８】
また、本発明は、表示装置に各種情報を表示するとともに該各種情報に関する入力情報を利用者から受け付ける入力情報受付プログラムであって、前記利用者を識別する利用者識別情報を受け付け、該利用者識別情報を記憶する利用者識別情報受付手順と、所定の入力情報の入力を受け付ける入力画面を用いて該入力情報が利用者により入力された後に、前記利用者識別情報を受け付ける利用者識別情報再受付手順と、前記利用者識別情報再受付手順により受け付けられた利用者識別情報と前記利用者識別情報受付手順により記憶された利用者識別情報とが一致しているか否かを判定する利用者識別情報比較手順と、前記利用者識別情報比較手順により、利用者識別情報が一致していると判定された場合に、前記入力画面を用いて入力された入力情報の受け付けを確定する利用者情報確定手順と、をコンピュータに実行させることを特徴とする。
【００２９】
また、本発明は、上記の発明において、前記利用者識別情報受付手順により前記利用者識別情報が受け付けられた場合に、前記入力画面を表示する入力画面表示手順をさらにコンピュータに実行させることを特徴とする。
【００３０】
また、本発明は、上記の発明において、前記利用者識別情報受付手順は、利用者の属性を示す利用者属性情報を前記利用者からさらに受け付け、前記入力画面表示手順は、前記利用者識別情報受付手順により受け付けられた利用者属性情報に基づいて、表示する入力画面を変更することを特徴とする。
【００３１】
また、本発明は、上記の発明において、前記利用者識別情報が記憶された記憶媒体から該利用者識別情報を読み取る利用者識別情報読取手順をさらにコンピュータに実行させ、前記利用者識別情報受付手順は、前記利用者識別情報読取手順により読み取られた利用者識別情報を受け付けることを特徴とする。
【発明の効果】
【００３２】
本発明によれば、利用者を識別する利用者識別情報を受け付け、その利用者識別情報を記憶し、所定の入力情報の入力を受け付ける入力画面を用いて利用者により入力情報が入力された後に、さらに利用者識別情報を受け付け、その利用者識別情報と記憶している利用者識別情報とが一致しているか否かを判定し、利用者識別情報が一致していると判定した場合に、入力画面を用いて入力された入力情報の受け付けを確定するよう構成したので、入力情報を入力した利用者とは異なる利用者によって当該入力情報が確定されることを防ぐことが可能になり、容易かつ確実に利用者を確認して入力情報を受け付けることができるという効果を奏する。
【００３３】
また、本発明によれば、最初に利用者識別情報を受け付けた場合に、入力画面を表示するよう構成したので、あらかじめ表示装置に固定して入力画面を表示しておく場合に比べ、表示装置の表示画面を効率よく利用することができるという効果を奏する。
【００３４】
また、本発明によれば、利用者の属性を示す利用者属性情報を利用者からさらに受け付け、受け付けた利用者属性情報に基づいて、表示する入力画面を変更するよう構成したので、性別や年齢など利用者の属性に応じて、利用者に入力させる項目を絞り込むことが可能になり、入力情報の入力にかかる時間を短縮することができるという効果を奏する。
【００３５】
また、本発明によれば、利用者の属性を示す利用者属性情報を利用者からさらに受け付け、受け付けた利用者属性情報に基づいて、表示する入力画面の表示位置を変更するよう構成したので、利用者の身長などに合わせて入力し易い位置に入力画面を表示することが可能になり、入力情報の入力にかかる利用者の負担を軽減することができるという効果を奏する。
【００３６】
また、本発明によれば、入力画面を表示した後に、利用者により入力情報が入力されない状態が所定の時間継続した場合に、入力画面を非表示にするよう構成したので、なんらかの理由で利用者が途中で入力をやめた場合でも、自動的に入力画面を非表示にすることが可能になり、入力画面が表示されたまま放置されることを防ぐことができるという効果を奏する。
【００３７】
また、本発明によれば、表示した入力画面を用いて利用者により入力情報の一部が入力された後に、さらに利用者識別情報を受け付け、受け付けた利用者識別情報と記憶している利用者識別情報とが一致しているか否かを判定し、利用者識別情報が一致していると判定した場合に、入力画面に入力されている入力情報を保存するとともに入力画面を非表示にし、入力情報が保存された後に、利用者識別情報を受け付けた場合に、その利用者識別情報を記憶しているか否かを確認し、記憶していた場合には、いったん非表示にした入力画面を表示装置に再表示するよう構成したので、なんらかの理由で利用者が途中で入力をやめなければならない事態が生じた場合でも、それまでに入力した入力情報をいったん保存し、後になって続きを入力することが可能になり、入力情報を効率よく入力することができるという効果を奏する。
【００３８】
また、本発明によれば、利用者識別情報が一致していないと判定した場合に、入力画面に入力されている入力情報をキャンセルするとともに、記憶している利用者識別情報で識別される利用者に対して入力情報をキャンセルしたことを通知するよう構成したので、利用者が、途中で入力をやめた場合でも、その後に入力情報がキャンセルされたことを確認することが可能になり、入力情報を放置したことに対する懸念を解消することができるという効果を奏する。
【００３９】
また、本発明によれば、利用者識別情報が記憶された記憶媒体から利用者識別情報を読み取る読取手段を備え、読取手段により読み取られた利用者識別情報を受け付けるよう構成したので、ユーザＩＤやパスワードなどを入力する手間を省くことが可能になり、利用者が容易に利用者識別情報を情報提供装置に認識させることができるという効果を奏する。
【００４０】
また、本発明によれば、読取手段は、複数の所定の設置位置に設置され、表示装置には、複数の所定の表示位置が設定され、利用者識別情報を受け付けた場合に、利用者識別情報を読み取った読取手段の設置位置に最も近い表示位置を複数の所定の表示位置から選択し、その表示位置に入力画面を表示するよう構成したので、情報提供装置が複数の利用者によって同時に利用される場合でも、それぞれの利用者に対して視認しやすい位置に入力画面を表示することが可能になり、利用者が入力情報を容易に入力することができるという効果を奏する。
【００４１】
また、本発明によれば、利用者識別情報を受け付けた場合に、すでに表示されている他の入力画面に重ならない表示位置を複数の所定の表示位置から選択し、その表示位置に入力画面を表示するよう構成したので、情報提供装置が複数の利用者によって同時に利用される場合でも、それぞれの利用者が入力情報の入力を並行して行うことができるという効果を奏する。
【００４２】
また、本発明によれば、記憶媒体は、非接触ＩＣチップであり、前記利用者識別情報読取手段は、非接触ＩＣリーダであることとしたので、利用者が、非接触ＩＣカードや非接触ＩＣチップを内蔵した携帯電話などを用いて容易に利用者識別情報を情報提供装置に認識させることができるという効果を奏する。
【００４３】
また、本発明によれば、利用者により入力情報が入力されない状態が所定の時間継続した場合に、入力画面を非表示にした際に、入力画面に入力されている入力情報をキャンセルするとともに、記憶している利用者識別情報で識別される利用者に対して入力情報をキャンセルしたことを通知するよう構成したので、利用者が、途中で入力をやめた場合でも、その後に入力情報がキャンセルされたことを確認することが可能になり、入力情報を放置したことに対する懸念を解消することができるという効果を奏する。
【発明を実施するための最良の形態】
【００４４】
以下に、本発明に係る情報提供装置、入力情報受付方法および入力情報受付プログラムの実施例を図面に基づいて詳細に説明する。
【実施例１】
【００４５】
まず、本実施例１に係る情報提供装置の概念について説明する。図１は、本実施例１に係る情報提供装置の概念を説明するための図である。この情報提供装置１００は、例えば駅や空港などに設置され、ホテルや民宿などの宿泊施設に関する情報を提供するとともに、宿泊施設の予約の受け付けを行うことができる装置である。
【００４６】
同図に示すように、この情報提供装置１００は、宿泊施設に関する情報を表示するディスプレイ２と、非接触ＩＣチップが埋め込まれたＩＣカード１から利用者に関する情報を読み取るためのＩＣカードリーダ３ａおよび３ｂを備えている。ＩＣカード１は、情報提供装置１００を利用する利用者によって所有されており、このＩＣカード１には、利用者を識別するためのユーザＩＤなどが記録されている。情報提供装置１００は、ＩＣカードリーダ３ａおよび３ｂを用いてユーザＩＤを読み取ることによって、利用者を確認することができる。
【００４７】
ディスプレイ２の下方には、「予約」および「確定」からなるメニューが表示されており、「予約」はＩＣカードリーダ３ａの上に表示され、「確定」はＩＣカードリーダ３ｂの上に表示されている。利用者は、ＩＣカードリーダ３ａにＩＣカード１をかざすことによって、宿泊施設に関する情報を情報提供装置１００に入力することができ、ＩＣカードリーダ３ｂにＩＣカード１をかざすことによって、入力した情報を確定することができる。
【００４８】
例えば、この情報提供装置１００を利用して、利用者がＡホテルを予約する場合について考える。まず、情報提供装置１００のディスプレイ２には、Ａホテルの情報が表示されていたとする。そして、Ａホテルの情報を閲覧した利用者が、自身が所有するＩＣカード１をＩＣカードリーダ３ａにかざしたとする。これにより、情報提供装置１００は、ＩＣカード１から当該利用者のユーザＩＤを受け付け、受け付けたユーザＩＤを記憶する（同図（１）参照）。
【００４９】
さらに、情報提供装置１００は、ディスプレイ２に、予約に必要な情報を入力するための入力画面４を表示する（同図（２）参照）。そして、利用者が、予約に必要な情報（以下、「予約情報」と呼ぶ）を入力画面４に入力し、その後に、自身が所有するＩＣカード１をＩＣカードリーダ３ｂにかざすと、情報提供装置１００は、ＩＣカード１から当該利用者のユーザＩＤを受け付け、記憶しているユーザＩＤと、ＩＣカードリーダ３ｂを介して受け付けたユーザＩＤとが一致しているか否かを判定する。そして、ユーザＩＤが一致していた場合には、情報提供装置１００は、入力画面４に入力されている予約情報の受け付けを確定する（同図（３）参照）。
【００５０】
受け付けを確定した情報提供装置１００は、ネットワークを介して接続された予約管理サーバ装置に、利用者によって入力された予約情報を送信し、予約が完了したことを示す予約完了メッセージをディスプレイ２に表示する（同図（４）参照）。
【００５１】
このように、本実施例１に係る情報提供装置１００では、ＩＣカードリーダ３ａによって読み取られたユーザＩＤを受け付け、そのユーザＩＤを記憶し、予約情報の入力を受け付ける入力画面を用いて利用者により予約情報が入力された後に、さらにＩＣカードリーダ３ｂによって読み取られたユーザＩＤを受け付け、受け付けたユーザＩＤと記憶しているユーザＩＤとが一致しているか否かを判定し、ユーザＩＤが一致していると判定した場合に、入力画面４を用いて入力された予約情報の受け付けを確定することとした。これにより、予約情報を入力した利用者とは異なる利用者によって当該予約情報が確定されることを防ぐことが可能になり、容易かつ確実に利用者を確認して入力情報を受け付けることができる。
【００５２】
なお、ここではＩＣカードを用いた場合について説明したが、利用者を確認するための手段としては、ＩＣカードの代わりに、非接触ＩＣチップを内蔵した携帯電話などを用いることもできる。
【００５３】
また、図１に示す例では、ＩＣカードリーダ３ａおよび３ｂを、それぞれ、「予約」および「確定」に対応付けた場合について説明したが、例えば、入力画面４に入力情報を入力した後に、再度ＩＣカードリーダ３ａにＩＣカード１をかざすことによって、予約情報の確定に関する処理を行うようにしてもよい。これにより、ＩＣカードリーダが一つしかなかった場合でも、同様の機能を実現することができる。
【００５４】
次に、本実施例１に係る情報提供装置１００の構成について説明する。図２は、本実施例１に係る情報提供装置１００の構成を示す機能ブロック図である。同図に示すように、この情報提供装置１００は、ネットワーク２０を介して、宿泊施設の予約の空き状況などを管理する予約管理サーバ装置１０と接続されており、表示部１１０と、入力部１２０と、カード読取部１３０と、インタフェース制御部１４０と、記憶部１５０と、制御部１６０とを有する。
【００５５】
なお、ここでは説明の便宜上、１台の情報提供装置１００のみを示したが、情報提供装置１００は、全国の駅や空港など各地に設置され、それぞれ、ネットワーク２０を介して予約管理サーバ装置１０に接続されるものとする。
【００５６】
表示部１１０は、液晶ディスプレイやプラズマディスプレイ、プロジェクタなどの表示装置であり、宿泊施設に関する情報や、利用者が予約情報を入力するための入力画面４などを表示する。入力部１２０は、表示部１１０と一体化されたタッチパネルなどの入力装置であり、利用者が入力画面４を用いて入力した予約情報などを入力する。これら表示部１１０および入力部１２０は、図１に示したディスプレイ２に対応するものである。
【００５７】
カード読取部１３０ａおよび１３０ｂは、非接触ＩＣチップから各種情報を読み取るＩＣカードリーダである。カード読取部１３０ａおよび１３０ｂは、図１に示したＩＣカードリーダ３ａおよび３ｂに対応するものであり、それぞれのＩＣカードリーダには、表示部１１０に表示されたメニューの「予約」および「確定」が対応付けられる。
【００５８】
なお、ここでは２つのカード読取部を用いた場合について説明するが、カード読取部の数は１つでも２つ以上でもよく、カード読取部の数に合わせて表示部１１０に表示されるメニューを変更することによって、利用者からの要求に応じて、ＩＣカードの読み取りを契機とする各種の処理を行うことが可能になる。
【００５９】
インタフェース制御部１４０は、情報提供装置１００と予約管理サーバ装置１０との間でやり取りされる各種情報の送受信を制御する処理部である。具体的には、このインタフェース制御部１４０は、利用者によって入力された予約情報などを予約管理サーバ装置１０に送信し、宿泊施設の空き状況に関する情報などを予約管理サーバ装置１０から受信する。
【００６０】
記憶部１５０は、各種情報を記憶する記憶部であり、本発明に関連するものとしては、ユーザＩＤ記憶部１５１を有する。このユーザＩＤ記憶部１５０は、後述する制御部１６０から渡されたユーザＩＤを記憶する。
【００６１】
制御部１６０は、情報提供装置１００全体を制御する処理部であり、本発明に関連するものとしては、表示制御部１６１と、ユーザＩＤ比較部１６２と、予約処理部１６３とを有する。
【００６２】
表示制御部１６１は、表示部１１０に表示する画面の制御や、入力部１２０を介して利用者によって入力された情報や、カード読取部１３０ａおよび１３０ｂを介して受け付けたユーザＩＤなどに基づいて、予約情報の受け付けに関する処理を行う処理部である。具体的には、利用者からの要求に基づいて、宿泊施設に関する各種情報を予約管理サーバ装置１０から取得し、表示部１１０に表示する。
【００６３】
また、この表示制御部１６１は、カード読取部１３０ａを介してユーザＩＤを受け付けると、受け付けたユーザＩＤをユーザＩＤ記憶部１５１に記憶するとともに、予約情報を入力するための入力画面４を表示部１１０に表示する。ここで、利用者によって予約情報が入力されない状態が所定の時間続いた場合には、表示制御部１６１は、入力画面４を非表示にする。
【００６４】
ここで、表示制御部１６１が、入力画面４を非表示にするとともに、入力画面４に入力されていた予約情報をキャンセル（消去）し、ユーザＩＤ記憶部１５１に記憶されている利用者に対して、予約情報をキャンセルしたことを通知するようにしてもよい。
【００６５】
さらに、表示制御部１６１は、利用者によって予約情報が入力された後に、カード読取部１３０ａを介してユーザＩＤを受け付けると、受け付けたユーザＩＤとユーザＩＤ記憶部１５１に記憶されているユーザＩＤとが一致するか否かを判定するため、受け付けたユーザＩＤをユーザＩＤ比較部１６２に渡す。
【００６６】
そして、ユーザＩＤが一致していることがユーザＩＤ比較部１６２から通知された場合は、表示制御部１６１は、入力画面４に入力されている予約情報の受け付けを予約処理部１６３に渡すとともに、当該ユーザＩＤをユーザＩＤ記憶部１５１から削除し、さらに、予約が完了したことを示すメッセージを表示部１１０に表示する。
【００６７】
一方、ユーザＩＤが不一致であることがユーザＩＤ比較部１６２から通知された場合には、表示制御部１６１は、予約情報の受け付けが行えないことを示すメッセージを表示部１１０に表示する。
【００６８】
なお、表示制御部１６１は、入力画面４を表示する際に、ＩＣカード１に記録されている利用者の属性情報（性別や年齢、身長、職業など）に基づいて入力画面４を変更したり、入力画面４の表示位置を変更したりしてもよい。この場合、表示制御部１６１は、カード読取部１３０ａを介してユーザＩＤとともに利用者の属性情報を受け付けるようにする。そして、表示制御部１６１は、例えば、利用者が女性であった場合には、男性専用の入力項目を省き、女性専用の入力項目のみを設定した表示画面を表示したり、利用者の身長に基づいて、目線の高さに近い位置に入力画面４を表示したりするなど、利用者の属性情報に合わせて入力画面４を表示する。
【００６９】
また、表示制御部１６１は、ユーザＩＤが不一致であることがユーザＩＤ比較部１６２から通知された場合に、さらに入力画面４に入力されている予約情報をキャンセル（消去）し、ユーザＩＤ記憶部１５１に記憶されている利用者に対して、予約情報をキャンセルしたことを通知するようにしてもよい。
【００７０】
ユーザＩＤ比較部１６２は、予約情報を入力する際に受け付けられたユーザＩＤと、予約情報を確定する際に受け付けられたユーザＩＤを比較して、それぞれが一致しているか否かを判定する処理部である。具体的には、このユーザＩＤ比較部１６２は、表示制御部１６１からユーザＩＤが渡されると、渡されたユーザＩＤとユーザＩＤ記憶部１５１に記憶されているユーザＩＤとが一致しているか否かを判定し、判定結果（一致または不一致）を表示制御部１６１に通知する。
【００７１】
予約処理部１６３は、入力画面４に入力された予約情報に基づいて、宿泊施設の予約に関する処理を行う処理部である。具体的には、この予約処理部１６３は、表示制御部１６１から渡された予約情報に基づいて、予約管理サーバ装置１０に対して予約を要求するための予約要求情報を生成し、生成した予約要求情報を、インタフェース制御部１４０を介して予約管理サーバ装置１０に送信する。これにより、予約管理サーバ装置１０において、宿泊施設の予約を行う処理が行われる。
【００７２】
次に、本実施例１に係る情報提供装置１００による情報提供の具体例について説明する。図３は、本実施例１に係る情報提供装置１００による情報提供の具体例を示す図である。同図に示す情報提供装置１００においては、ディスプレイ２（図２に示した表示部１１０に対応）の下方に複数の宿泊施設（「Ａホテル」、「Ｂホテル」、「Ｃホテル」および「Ｄホテル」）の一覧が表示されており、さらに、その一覧から利用者によって選択された「Ａホテル」に関する情報が、ディスプレイ２の上部に表示されている。
【００７３】
また、この情報提供装置１００には、３つのＩＣカードリーダ３ａ、３ｂ（図２に示したカード読取部１３０ａ、１３０ｂにそれぞれ対応）および３ｘが備えられており、各ＩＣカードリーダの上には、「クーポン取得」、「予約」および「確定」からなるメニューが表示されており、「予約」は、ＩＣカードリーダ３ａの上に位置するように表示され、「確定」は、ＩＣカードリーダ３ｂの上に位置するように表示され、「クーポン取得」は、ＩＣカードリーダ３ｘの上に位置するように表示されている。
【００７４】
そのため利用者は、ＩＣカードリーダ３ａにＩＣカード１をかざした場合には予約情報を入力する処理を行うことができ、ＩＣカードリーダ３ｂにＩＣカード１をかざした場合には予約情報を確定する処理を行うことができ、ＩＣカードリーダ３ｘにＩＣカード１をかざした場合には割引情報を取得することができる。ここで取得された割引情報は、当該利用者と対応付けたうえで予約管理サーバ装置１０に送信されるようにしてもよいし、ＩＣカードリーダに書き込まれるようにしてもよい。
【００７５】
なお、ＩＣカードリーダをさらに一つ備えることとし、そのＩＣカードリーダに利用者がＩＣカード１をかざすことによって、途中まで入力した予約情報を保存することができるようにしてもよい。図４は、予約情報の保存を可能とする場合の情報提供の具体例を示す図である。同図に示す情報提供装置１００には、ＩＣカードリーダ３ｙがさらに備えられており、メニューには、ＩＣカードリーダ３ｙの上の位置に「保存」が表示されている。
【００７６】
この場合には、情報提供装置１００は、利用者によってＩＣカードリーダ３ｙにＩＣカード１がかざされると、表示制御部１６１が、メニューから「保存」が選択されたと判断し、ＩＣカードリーダ３ｙによって読み取られたユーザＩＤを受け付け、受け付けたユーザＩＤとユーザＩＤ記憶部１５１に記憶されているユーザＩＤとが一致するか否かを判定するため、受け付けたユーザＩＤをユーザＩＤ比較部１６２に渡す。
【００７７】
そして、ユーザＩＤが一致していることがユーザＩＤ比較部１６２から通知された場合は、表示制御部１６１は、入力画面４に入力されている予約情報をユーザＩＤと対応付けたうえで記憶部１５０に保存するとともに、入力画面４を非表示にする。
【００７８】
その後、利用者によってＩＣカードリーダ３ａにＩＣカード１がかざされた場合には、表示制御部１６１は、最初に予約情報が入力された時と同様に、ＩＣカードリーダ３ａによって読み取られたユーザＩＤとユーザＩＤ記憶部１５１に記憶されているユーザＩＤとをユーザＩＤ比較部１６２に比較させ、ユーザＩＤが一致していた場合には、予約情報を保存した利用者によって再度メニューから「予約」が選択されたと判断し、記憶している予約情報を読み出し、その予約情報を設定したうえで入力画面４を再表示する。
【００７９】
次に、本実施例１に係る情報提供装置１００の処理手順について説明する。図５は、本実施例１に係る情報提供装置１００の処理手順を示すフローチャートである。なお、ここでは、図３に示した具体例に合わせて、図２に示した表示部１１０、カード読取部１３０ａおよび１３０ｂを、それぞれディスプレイ２、ＩＣカードリーダ３ａおよび３ｂとして説明する。
【００８０】
同図に示すように、この情報提供装置１００では、利用者によってホテルの一覧から宿泊施設が選択されると（ステップＳ１０１，Ｙｅｓ）、表示制御部１６１が、選択された宿泊施設の情報を予約管理サーバ装置１０から取得して、ディスプレイ２に表示する（ステップＳ１０２）。
【００８１】
続いて、利用者によってＩＣカード１がＩＣカードリーダ３ａにかざされると、表示制御部１６１が、メニューから「予約」が選択されたと判断し（ステップＳ１０３，Ｙｅｓ）、ＩＣカードリーダ３ａによって読み取られたユーザＩＤを受け付け（ステップＳ１０４）、受け付けたユーザＩＤをユーザＩＤ記憶部１５１に記憶する（ステップＳ１０５）。
【００８２】
さらに、表示制御部１６１は、ディスプレイ２に入力画面４を表示して（ステップＳ１０６）、予約情報の入力を受け付ける（ステップＳ１０７）。ここで、利用者によって予約情報が入力されない状態が所定の時間続いた場合には（ステップＳ１０８，Ｙｅｓ）、表示制御部１６１は、入力画面４を非表示にする（ステップＳ１０９）。
【００８３】
一方、利用者によって所定の時間内に予約情報が入力された後に（ステップ１０８，Ｎｏ）、ＩＣカード１がＩＣカードリーダ３ｂにかざされた場合には、表示制御部１６１は、メニューから「確定」が選択されたと判断し（ステップＳ１１０，Ｙｅｓ）、ＩＣカードリーダ３ｂによって読み取られたユーザＩＤを受け付ける（ステップＳ１１１）。
【００８４】
そして、ユーザＩＤ比較部１６２が、表示制御部１６１によって受け付けられたユーザＩＤとユーザＩＤ記憶部１５１に記憶されているユーザＩＤとを比較し（ステップＳ１１２）、ユーザＩＤが一致していた場合には（ステップＳ１１３，Ｙｅｓ）、予約処理部１６３が、予約管理サーバ装置１０に対して予約を要求する予約処理を実行し（ステップＳ１１４）、表示制御部１６１が、ディスプレイ２に予約完了メッセージを表示する（ステップＳ１１５）。
【００８５】
一方、ユーザＩＤが一致していなかった場合には（ステップＳ１１３，Ｎｏ）、表示制御部１６１が、予約情報の受け付けが行えないことを示すメッセージをディスプレイ２に表示する（ステップＳ１１６）。
【００８６】
上述してきたように、本実施例１では、表示制御部１６１が、ＩＣカードリーダ３ａ（カード読取部１３０ａ）により読み取られたユーザＩＤを受け付け、そのユーザＩＤをユーザＩＤ記憶部１５１に記憶し、予約情報の入力を受け付ける入力画面４を用いて利用者により予約情報が入力された後に、さらにＩＣカードリーダ３ｂ（カード読取部１３０ｂ）により読み取られたユーザＩＤを受け付け、ユーザＩＤ比較部１６２が、さらに受け付けられたユーザＩＤとユーザＩＤ記憶部１５１に記憶されているユーザＩＤとが一致しているか否かを判定し、ユーザＩＤ比較部１６２によってユーザＩＤが一致していると判定された場合に、予約処理部１６３が、入力画面４を用いて入力された予約情報の受け付けを確定するので、予約情報を入力した利用者とは異なる利用者によって当該予約情報が確定されることを防ぐことが可能になり、容易かつ確実に利用者を確認して予約情報を受け付けることができる。
【００８７】
また、本実施例１では、表示制御部１６１が、最初にＩＣカードリーダ３ａにより読み取られた利用者識別情報を受け付けた場合に、入力画面４を表示するので、あらかじめディスプレイ２に固定して入力画面４を表示しておく場合に比べ、ディスプレイ２の表示画面を効率よく利用することができる。
【００８８】
また、本実施例１では、表示制御部１６１が、ＩＣカードリーダ３ａにより読み取られた利用者属性情報を利用者からさらに受け付け、受け付けた利用者属性情報に基づいて、表示する入力画面４を変更してもよいとした。これにより、性別や年齢など利用者の属性に応じて、利用者に入力させる項目を絞り込むことが可能になり、予約情報の入力にかかる時間を短縮することができる。
【００８９】
また、本実施例１では、表示制御部１６１が、ＩＣカードリーダ３ａにより読み取られた利用者属性情報を利用者からさらに受け付け、受け付けた利用者属性情報に基づいて、表示する入力画面４の表示位置を変更してもよいとした。これにより、利用者の身長などに合わせて入力し易い位置に入力画面４を表示することが可能になり、予約情報の入力にかかる利用者の負担を軽減することができる。
【００９０】
また、本実施例１では、表示制御部１６１が、入力画面４を表示した後に、利用者により予約情報が入力されない状態が所定の時間継続した場合に、入力画面４を非表示にするので、なんらかの理由で利用者が途中で入力をやめた場合でも、自動的に入力画面４を非表示にすることが可能になり、入力画面４が表示されたまま放置されることを防ぐことができる。
【００９１】
また、本実施例１では、表示した入力画面４を用いて利用者により予約情報の一部が入力された後に、さらにＩＣカードリーダ３ｙにより読み取られたユーザＩＤを受け付け、ユーザＩＤ比較部１６２が、さらに受け付けられたユーザＩＤとユーザＩＤ記憶部１５１に記憶されているユーザＩＤとが一致しているか否かを判定し、ユーザＩＤ比較部１６２によりユーザＩＤが一致していると判定された場合に、表示制御部１６１が、入力画面４に入力されている予約情報を記憶部１５０に保存するとともに入力画面４を非表示にし、予約情報が保存された後に、ＩＣカードリーダ３ａにより読み取られたユーザＩＤを受け付けた場合に、そのユーザＩＤがユーザＩＤ記憶部１５１に記憶されているか否かを確認し、記憶されていた場合には、いったん非表示にした入力画面４をディスプレイ２に再表示するようにしてもよいとした。これにより、なんらかの理由で利用者が途中で入力をやめなければならない事態が生じた場合でも、それまでに入力した予約情報をいったん保存し、後になって続きを入力することが可能になり、予約情報を効率よく入力することができる。
【００９２】
また、本実施例１では、表示制御部１６１が、ユーザＩＤ比較部１６２によりユーザＩＤが一致していないと判定された場合に、入力画面４に入力されている予約情報をキャンセルするとともに、ユーザＩＤ記憶部１５１に記憶されているユーザＩＤで識別される利用者に対して予約情報をキャンセルしたことを通知してもよいとした。これにより、利用者が、途中で入力をやめた場合でも、その後に予約情報がキャンセルされたことを確認することが可能になり、予約情報を放置したことに対する利用者の懸念を解消することができる。
【００９３】
また、本実施例１では、ユーザＩＤが記憶されたＩＣチップからユーザＩＤを読み取るＩＣカードリーダを備え、ＩＣカードリーダにより読み取られたユーザＩＤを受け付けるので、ユーザＩＤやパスワードなどを入力する手間を省くことが可能になり、利用者が容易にユーザＩＤを情報提供装置１００に認識させることができる。
【００９４】
また、本実施例１では、ユーザＩＤが記憶されるＩＣチップは、非接触ＩＣチップであり、ＩＣカードリーダ３ａ、３ｂ、３ｘおよび３ｙは、非接触ＩＣリーダであることとしたので、利用者が、非接触ＩＣカードや非接触ＩＣチップを内蔵した携帯電話などを用いて容易にユーザＩＤを情報提供装置１００に認識させることができる。
【００９５】
また、本実施例１では、表示部１６１が、利用者により入力情報が入力されない状態が所定の時間継続した場合に、入力画面４を非表示にした際に、入力画面４に入力されている入力情報をキャンセルするとともに、ユーザＩＤ記憶部１５１に記憶されているユーザＩＤで識別される利用者に対して予約情報をキャンセルしたことを通知してもよいとした。これにより、利用者が、途中で入力をやめた場合でも、その後に入力情報がキャンセルされたことを確認することが可能になり、入力情報を放置したことに対する懸念を解消することができる。
【実施例２】
【００９６】
ところで、上記実施例１では、宿泊施設に関する情報を提供するとともに宿泊施設の予約の受け付けを行うことができる情報提供装置に本発明を適用した場合について説明したが、本発明はこれに限られず、例えば、駅などに設置されて、列車の運行情報を提供するとともに列車の座席を予約する情報提供装置にも同様に適用することができる。
【００９７】
また、上記実施例１では、一人の利用者が情報提供装置を利用する場合について説明したが、ＩＣカードリーダを多数備えることにより、複数の利用者が同時に情報提供装置を利用することも可能である。
【００９８】
そこで、以下では、列車の運行情報を提供するとともに列車の座席を予約する情報提供装置に本発明を適用し、複数の利用者が同時に情報提供装置を利用する場合について、実施例２として説明する。なお、以下に説明する情報提供装置は、基本的には実施例１で説明した情報提供装置１００と同様の構成および処理手順を有するものであるので、ここでは説明の便宜上、構成および処理手順に関する説明は省略し、本実施例２に係る情報提供装置の概念および入力画面の一例について説明する。
【００９９】
図６は、本実施例２に係る情報提供装置の概念を説明するための図である。この情報提供装置２００は、例えば駅などに設置され、列車の運行情報を提供するとともに列車の座席を予約することができる装置である。
【０１００】
同図に示すように、この情報提供装置２００は、列車の運行情報を表示するディスプレイ２と、非接触ＩＣチップが埋め込まれたＩＣカードから利用者に関する情報を読み取るためのＩＣカードリーダ３ａ、３ｂ、３ｃ、３ｄ、３ｅおよび３ｆを備えている。ＩＣカードは、情報提供装置２００を利用する複数の利用者によって所有されており、各ＩＣカードには、利用者を識別するためのユーザＩＤなどが記録されている。情報提供装置２００は、ＩＣカードリーダ３ａ、３ｂ、３ｃ、３ｄ、３ｅおよび３ｆを用いてユーザＩＤを読み取ることによって、利用者を確認することができる。
【０１０１】
ディスプレイ２の下方には、複数の「予約」および「確定」の組からなるメニューが表示されており、「予約」はＩＣカードリーダ３ａ、３ｃおよび３ｅの上に表示され、「確定」はＩＣカードリーダ３ｂ、３ｄおよび３ｆの上に表示されている。利用者は、ＩＣカードリーダ３ａ、３ｃまたは３ｅにＩＣカードをかざすことによって、座席予約に関する情報を情報提供装置１００に入力することができ、ＩＣカードリーダ３ｂ、３ｄまたは３ｆにＩＣカードをかざすことによって、入力した情報を確定することができる。
【０１０２】
例えば、この情報提供装置２００を利用して、利用者Ｘおよび利用者Ｙが列車の座席を予約する場合について考える。まず、情報提供装置２００のディスプレイ２には、その日に運行されている列車の列車名や発時刻、着時刻、座席の空き状況（「×」は空席なし、「△」は若干の空席あり、「○」は十分に空席あり、を示す）などが表示されていたとする。
【０１０３】
そして、列車０２号の座席に空席があることを確認した利用者Ｘが、自身が所有するＩＣカード１ａをＩＣカードリーダ３ａにかざしたとする。これにより、情報提供装置２００は、ＩＣカード１ａから利用者ＸのユーザＩＤを受け付け、受け付けたユーザＩＤを記憶する。また、同時に、列車０３号の座席に空席があることを確認した利用者Ｙが、自身が所有するＩＣカード１ｂをＩＣカードリーダ３ｅにかざしたとする。これにより、情報提供装置２００は、ＩＣカード１ｂから利用者ＹのユーザＩＤを受け付け、受け付けたユーザＩＤを記憶する。情報提供装置２００は、利用者ごとにユーザＩＤを記憶する（同図の（１）参照）。
【０１０４】
さらに、情報提供装置２００は、ディスプレイ２上のＩＣカードリーダ３ａの付近に設定された表示位置に、列車０２号の座席の予約に必要な情報を入力するための入力画面４ａを表示し、ディスプレイ２上のＩＣカードリーダ３ｅの付近に設定された表示位置に、列車０３号の座席の予約に必要な情報を入力するための入力画面４ｂを表示する（同図の（２）参照）。
【０１０５】
この時、情報提供装置２００は、利用者Ｘと利用者Ｙの間の距離が近い場合であっても、入力画面４ａおよび４ｂが重ならないように、ディスプレイ２上に設定された表示位置を選択し、それぞれの入力画面を表示する。
【０１０６】
そして、利用者Ｘは、列車０２号の座席の予約に必要な情報（以下、「座席予約情報」と呼ぶ）を入力画面４ａに入力し、利用者Ｙは、列車０３号の座席予約情報を入力画面４ｂに入力し、その後に、利用者ＸはＩＣカードリーダ３ｂにＩＣカード１ａを、利用者ＹはＩＣカードリーダ３ｆにＩＣカード１ｂをかざすことによって、座席予約情報の確定を行う。以下に、この座席予約情報の確定について、入力画面を例示して説明する。
【０１０７】
なお、入力画面４ａおよび４ｂは、列車の座席数など車両の形式などによって、表示形式が異なるが、ここでは、その一例を、利用者Ｘが表示した入力画面４ａとして説明する。図７は、本実施例２に係る入力画面４ａの一例を示す図である。
【０１０８】
例えば、同図に示すように、入力画面４ａには、車両の種類を選ぶための項目（「喫煙」、「禁煙」および「どちらでもよい」）や、座席の位置を選ぶための項目（「窓際」、「通路側」および「どちらでもよい」）などが表示される。利用者は、これらの項目から、希望に合う項目を選択する（同図の（１）参照）。
【０１０９】
そして、利用者Ｘが、希望の項目を選択すると、情報提供装置２００は、ネットワークを介して接続された座席予約管理サーバ装置などに問い合わせることによって、希望に見合う座席を選び出し、選び出した座席を入力画面４ａに表示する（同図の（２）参照）。
【０１１０】
その後に、利用者が、自身が所有するＩＣカード１ａをＩＣカードリーダ３ｂにかざすと、情報提供装置２００は、ＩＣカード１ａから利用者ＸのユーザＩＤを受け付け、記憶しているユーザＩＤに、ＩＣカードリーダ３ｂを介して受け付けたユーザＩＤが存在しているか否かを判定する。そして、ユーザＩＤが存在していた場合には、情報提供装置２００は、入力画面４ａに入力されている座席予約情報の受け付けを確定し、座席を確定したことを示すメッセージを入力画面４ａに表示する（同図の（３）参照）。
【０１１１】
上述してきたように、本実施例２では、ＩＣカードリーダ３ａ〜３ｆは、複数の所定の設置位置に設置され、ディスプレイ２には、複数の所定の表示位置が設定され、表示制御部１６１が、ＩＣカードリーダ３ａ、３ｃまたは３ｅにより読み取られたユーザＩＤを受け付けた場合に、ユーザＩＤを読み取ったＩＣカードリーダの設置位置に最も近い表示位置を複数の所定の表示位置から選択し、その表示位置に入力画面を表示するので、情報提供装置２００が複数の利用者によって同時に利用される場合でも、それぞれの利用者に対して視認しやすい位置に入力画面を表示することが可能になり、利用者が座席予約情報を容易に入力することができる。
【０１１２】
また、本実施例２では、表示制御部１６１が、ユーザＩＤを受け付けた場合に、すでに表示されている他の入力画面に重ならない表示位置を複数の所定の表示位置から選択し、その表示位置に入力画面を表示するので、情報提供装置２００が複数の利用者によって同時に利用される場合でも、それぞれの利用者が座席予約情報の入力を並行して行うことができる。
【０１１３】
なお、上記実施例では、利用者がそれぞれＩＣカードを所有し、１枚のＩＣカードで一連の処理（予約情報の入力から確定までの処理）を行う場合について説明したが、例えば、複数のユーザＩＤをグループ化し、同一グループに属するユーザＩＤが記録されたＩＣカードであれば、ユーザＩＤが一致しているとみなすようにしてもよい。これにより、例えば同じ家族の一員同士や同じ会社の一員同士であれば、予約情報の入力と確定とを分けて処理することが可能になる。
【０１１４】
また、上記実施例では、ＩＣチップに記録されたユーザＩＤを用いて利用者を確認する場合について説明したが、例えば、顔や指紋、網膜などの生体情報を用いて利用者を確認するようにしてもよい。これにより、利用者はＩＣカードを持ち歩く必要がなくなり、さらに容易かつ確実に利用者を確認することができる。
【０１１５】
なお、上記実施例では、宿泊施設を予約する情報提供装置、および、列車の座席を予約する情報提供装置に本発明を適用した場合について説明したが、本発明はこれに限定されるものではなく、例えば、空港などに設置されて、飛行機の席を予約する情報提供装置や、飲食店を予約する情報提供装置などにも同様に適用することができる。
【０１１６】
また、上記実施例では情報提供装置について説明したが、上述した情報提供装置が有する各処理部（表示制御部１６１、ユーザＩＤ比較部１６２および予約処理部１６３）の機能をソフトウェアによって実現することで、同様の機能を有する入力情報受付プログラムを得ることができる。そこで、この入力情報受付プログラムを実行するコンピュータについて説明する。
【０１１７】
図８は、入力情報受付プログラムを実行するコンピュータの構成を示す機能ブロック図である。同図に示すように、このコンピュータ３００は、ＲＡＭ（Random  Access  Memory）３１０と、ＣＰＵ（Central  Processing  Unit）３２０と、ＨＤＤ（Hard  Disk  Drive）３３０と、ネットワークインタフェース３４０と、入出力インタフェース３５０と、ＩＣカードリーダインタフェース３６０とを有する。
【０１１８】
ＲＡＭ３１０は、プログラムやプログラムの実行途中結果や、プログラムの実行に必要なデータ（ユーザＩＤ記憶部１５１のデータなど）などを記憶するメモリであり、ＣＰＵ３２０は、ＲＡＭ３１０からプログラムを読み出して実行する中央処理装置である。
【０１１９】
ＨＤＤ３３０は、プログラムやデータを格納するディスク装置であり、ネットワークインタフェース３４０は、コンピュータ３００をネットワーク経由で他のコンピュータ（予約管理サーバ装置１０など）に接続するためのインタフェースである。
【０１２０】
入出力インタフェース３５０は、表示装置（表示部１１０など）、および、タッチパネルなどの入力装置（入力部１２０など）を接続するためのインタフェースであり、ＩＣカードリーダインタフェース３６０は、ＩＣカードリーダ（カード読取部１３０ａ、１３０ｂなど）を接続するためのインタフェースである。
【０１２１】
そして、このコンピュータ３００において実行される入力情報受付プログラム３１１は、あらかじめコンピュータ３００にインストールされるか、または、ネットワークインタフェース３４０を介して接続された他のコンピュータシステムのデータベースなどに記憶され、これらのデータベースから読み出されてコンピュータ３００にインストールされる。
【０１２２】
そして、インストールされた入力情報受付プログラム３１１は、ＨＤＤ３３０に記憶され、ＲＡＭ３１０に読み出されてＣＰＵ３２０によって入力情報受付プロセス３２１として実行される。
【０１２３】
また、上記実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１２４】
この他、上記文書中や図面中で示した処理手順、制御手順、具体的名称、各種のデータやパラメータを含む情報については、特記する場合を除いて任意に変更することができる。
【０１２５】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２６】
さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１２７】
以上のように、本発明に係る情報提供装置、入力情報受付方法および入力情報受付プログラムは、表示装置に表示した各種情報に関する入力情報を利用者から受け付ける情報提供装置に有用であり、特に、容易かつ確実に利用者を確認して入力情報を受け付けるが求められる場合に適している。
【図面の簡単な説明】
【０１２８】
【図１】図１は、本実施例１に係る情報提供装置の概念を説明するための図である。
【図２】図２は、本実施例１に係る情報提供装置の構成を示す機能ブロック図である。
【図３】図３は、本実施例１に係る情報提供装置による情報提供の具体例を示す図である。
【図４】図４は、予約情報の保存を可能とする場合の情報提供の具体例を示す図である。
【図５】図５は、本実施例１に係る情報提供装置の処理手順を示すフローチャートである。
【図６】図６は、本実施例２に係る情報提供装置の概念を説明するための図である。
【図７】図７は、本実施例２に係る入力画面の一例を示す図である。
【図８】図８は、入力情報受付プログラムを実行するコンピュータの構成を示す機能ブロック図である。
【符号の説明】
【０１２９】
１，１ａ，１ｂ    ＩＣカード
２    ディスプレイ
３ａ〜３ｆ，３ｘ，３ｙ    ＩＣカードリーダ
４，４ａ，４ｂ    入力画面
１０    予約管理サーバ装置
２０    ネットワーク
１００，２００    情報提供装置
１１０    表示部
１２０    入力部
１３０，１３０ａ，１３０ｂ    カード読取部
１４０    インタフェース制御部
１５０    記憶部
１５１    ユーザＩＤ記憶部
１６０    制御部
１６１    表示制御部
１６２    ユーザＩＤ比較部
１６３    予約処理部
３００    コンピュータ
３１０    ＲＡＭ
３１１    入力情報受付プログラム
３２０    ＣＰＵ
３２１    入力情報受付プロセス
３３０    ＨＤＤ
３４０    ネットワークインタフェース
３５０    入出力インタフェース
３６０    ＩＣカードリーダインタフェース
Ｘ，Ｙ    利用者
【国際調査報告】
2008035397.tif 000011
2008035397.tif 000012